(57)【要約】  モビリティ管理手順を最適化するための方法および装置は、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）および目標システムＣＮ（Ｃｏｒｅ  Ｎｅｔｗｏｒｋ：コア・ネットワーク）の間のトンネルを確立するステップを具備する。ＷＴＲＵは、ソース・システムＣＮシステムから目標システムＣＮへハンドオーバーされる。
2010533457.tif 000002
【特許請求の範囲】
【請求項１】
第１の送受信機および第２の送受信機を含む無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）におけるソース・システムから目標システムへのハンドオーバー（ＨＯ:ＨａｎｄＯｖｅｒ）のための方法であって、
前記第１のハンドオーバー中に含まれる第１の送受信機無線リソース管理（ＲＲＣ：Ｒａｄｉｏ  Ｒｅｓｏｕｒｃｅ  Ｃｏｎｔｒｏｌ）レイヤーが、前記第２の送受信機中に含まれる第２の送受信機モビリティ管理（ＭＭ：Ｍｏｂｉｌｉｔｙ  Ｍａｎａｇｅｍｅｎｔ）レイヤーへＨＯメッセージを通信するステップと、
前記第２の送受信機ＭＭレイヤーから前記第１の送受信機ＲＲＣレイヤーへ、ＨＯ確認応答を含む交差通信を送るステップであって、それにより前記ＨＯ確認応答が、前記第１の送受信機によって前記ソース・システムに送信されるステップと、
ハンドオーバーの前に前記目標システムにより前記第２の送受信機を事前登録するステップであって、そこでは前記第１の送受信機ＲＲＣレイヤーが、前記目標システムから前記第２の送受信機ＭＭレイヤーへ登録情報を交差通信するステップと
を具えたことを特徴とする方法。
【請求項２】
前記ソース・システムから目標ネットワーク登録を開始するためのメッセージを前記第１の送受信機にて受信するステップであって、前記メッセージが、前記第１の送受信機ＲＲＣレイヤーにより前記第２の送受信機ＭＭレイヤーに送られること
をさらに具えたことを特徴とする請求項１記載の方法。
【請求項３】
前記第１の送受信機にて、前記第１のシステムから第２のシステム測定値一覧表を受信するステップと、
前記測定値一覧表を前記第２の送受信機に送るステップと
をさらに具えたことを特徴とする請求項１記載の方法。
【請求項４】
前記第１の送受信機が、目標システムの一覧表を前記第２の送受信機に送ることを特徴とする請求項３記載の方法。
【請求項５】
前記第２の送受信機にて、目標システムの前記一覧表に対するチャンネルを測定するステップと、
測定報告書を前記第１の送受信機に送るステップと、
前記測定報告書を前記ソース・システムに送信するステップと
をさらに具えたことを特徴とする請求項４記載の方法。
【請求項６】
前記第２の送受信機および前記目標システムの間に直接ＨＯトンネルを確立するステップをさらに具えたことを特徴とする請求項１記載の方法。
【請求項７】
前記目標システム・チャンネルを測定するために前記第２の送受信機を初期化するステップをさらに具えたことを特徴とする請求項４記載の方法。
【請求項８】
前記目標システムへハンドオーバーすると前記第１の送受信機をオフにするステップをさらに具えたことを特徴とする請求項６記載の方法。
【請求項９】
前記目標システムが非３ＧＰＰネットワークであり、前記ソース・システムが３ＧＰＰネットワークであることを特徴とする請求項１記載の方法。
【請求項１０】
前記第１の送受信機が３ＧＰＰ送受信機であり、前記第２の送受信機が非３ＧＰＰ送受信機であることを特徴とする請求項９記載の方法。
【請求項１１】
前記目標システムが３ＧＰＰネットワークであり、前記ソース・システムが非３ＧＰＰネットワークであることを特徴とする請求項１記載の方法。
【請求項１２】
前記第１の送受信機が非３ＧＰＰ送受信機であり、前記第２の送受信機が３ＧＰＰ送受信機であることを特徴とする請求項１１記載の方法。
【請求項１３】
前記ハンドオーバーが、セッション開始プロトコル（ＳＩＰ：Ｓｅｓｓｉｏｎ  Ｉｎｉｔｉａｔｉｏｎ  Ｐｒｏｔｏｃｏｌ）準拠のハンドオーバーであることを特徴とする請求項１記載の方法。
【請求項１４】
ＩＰ構成設定を開始するステップと、
前記第２の送受信機が、前記第１の送受信機を介して前記目標システムとの目標ＩＰ構成設定手順を行うステップと
をさらに具えたことを特徴とする請求項１３記載の方法。
【請求項１５】
前記目標システムに対する前記ＩＰ構成設定を前記第２の送受信機に提供するステップと、
前記第２の送受信機が、前記目標システムと直接的に目標無線交信手順を行うステップと
をさらに具えたことを特徴とする請求項１４記載の方法。
【請求項１６】
前記第１の送受信機および前記ソース・システムを通して前記第２の送受信機により前記目標システムとのＳＩＰ登録を開始するステップ
をさらに具えたことを特徴とする請求項１３記載の方法。
【請求項１７】
前記第１の送受信機が、前記第２の送受信機に前記ＳＩＰ登録情報を送るステップ
をさらに具えたことを特徴とする請求項１６記載の方法。
【請求項１８】
前記第２の送受信機および前記目標システムの間にＳＩＰ接続性を確立するステップ
をさらに具えたことを特徴とする請求項１７記載の方法。
【請求項１９】
前記第１の送受信機を登録解除するステップ
をさらに具えたことを特徴とする請求項１８記載の方法。
【請求項２０】
前記第１の送受信機にてハンドオーバー完了メッセージを受信するステップと、
前記第１の送受信機をオフにするステップと
をさらに具えたことを特徴とする請求項１９記載の方法。
【請求項２１】
前記第２の送受信機が、前記目標システムとの無線周波数接続性手順を行うステップ
をさらに具えたことを特徴とする請求項２０記載の方法。
【請求項２２】
ソース・システムから目標システムへハンドオーバーを行うように構成される無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）であって、
前記ソース・システムと通信するための、少なくとも第１のモビリティ管理（ＭＭ：Ｍｏｂｉｌｉｔｙ  Ｍａｎａｇｅｍｅｎｔ）レイヤーおよび無線リソース管理（ＲＲＣ：Ｒａｄｉｏ  Ｒｅｓｏｕｒｃｅ  Ｃｏｎｔｒｏｌ）レイヤーを含む第１の送受信機と、
ハンドオーバーすると前記目標システムと通信するための、少なくとも第２のＭＭレイヤーおよび第２のＲＲＣレイヤーを含む第２の送受信機と
を具え、
ここで、ハンドオーバーが、前記第１のＲＲＣレイヤーおよび第２のＭＭレイヤー、ならびに前記第１のＭＭレイヤーおよび前記第２のＲＲＣレイヤーの間の交差通信リンクを通して前記ソース・システムおよび前記第２の送受信機の間で行われ、
前記交差通信リンクが、それにより前記第２の送受信機および目標システムの間にハンドオーバー直接トンネルを確立することを特徴とする無線送受信ユニット（ＷＴＲＵ）。
【請求項２３】
前記第２の送受信機が、目標システム・トンネル・エンドポイントＩＤ（識別子）を含む、ＨＯ直接トンネル・メッセージを、前記ソース・システムから前記第１のＲＲＣレイヤーおよび前記第２のＭＭレイヤーの間の前記通信リンクを通して受信することを特徴とする請求項２２記載の無線送受信ユニット（ＷＴＲＵ）。
【請求項２４】
前記第２の送受信機が、前記第１のＲＲＣレイヤーおよび前記第２のＭＭレイヤーの間の前記交差通信を通して前記目標システムから目標システム登録情報を受信することであって、それにより前記第２の送受信機が、ハンドオーバーの前に前記目標システムによって事前登録され、かつ事前認証されることを特徴とする請求項２２記載の無線送受信ユニット（ＷＴＲＵ）。
【請求項２５】
前記目標システムに対してハンドオーバーを開始すると、前記第１の送受信機がオフにされ、前記第２の送受信機がオンにされることを特徴とする請求項２４記載の無線送受信ユニット（ＷＴＲＵ）。
【請求項２６】
前記ソース・システムが第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）ネットワークであり、前記目標システムが非３ＧＰＰネットワークであることを特徴とする請求項２２記載の無線送受信ユニット（ＷＴＲＵ）。
【請求項２７】
前記第１の送受信機が３ＧＰＰネットワークの中で通信するように構成され、前記第２の送受信機が非３ＧＰＰネットワークの中で通信するように構成されることを特徴とする請求項２６記載の無線送受信ユニット（ＷＴＲＵ）。
【請求項２８】
前記ソース・システムおよび前記目標システムが３ＧＰＰネットワークであることを特徴とする請求項２２に記載の無線送受信ユニット（ＷＴＲＵ）。
【請求項２９】
前記第１の送受信機が非３ＧＰＰネットワークと通信するように構成され、前記第２の送受信機が３ＧＰＰネットワークと通信するように構成されることを特徴とする請求項２８記載の無線送受信ユニット（ＷＴＲＵ）。
【請求項３０】
前記第１の送受信機が、目標システム・トンネル・エンドポイントＩＤ（識別子）を含む、ＨＯ直接トンネル・メッセージを、前記ソース・システムから前記第２のＲＲＣレイヤーおよび前記第１のＭＭレイヤーの間の前記通信リンクを通して受信することを特徴とする請求項２２記載の無線送受信ユニット（ＷＴＲＵ）。
【請求項３１】
前記第１の送受信機が、前記第２のＲＲＣレイヤーおよび前記第１のＭＭレイヤーの間の前記交差通信を通して前記目標システムから目標システム登録情報を受信することであって、それにより前記第１の送受信機が、ハンドオーバーの前に前記目標システムによって事前登録され、かつ事前認証されることを特徴とする請求項２２記載の無線送受信ユニット（ＷＴＲＵ）。
【請求項３２】
前記目標システムに対してハンドオーバーを開始すると、前記第２の送受信機がオフにされ、前記第１の送受信機がオンにされることを特徴とする請求項２４記載の無線送受信ユニット（ＷＴＲＵ）。
【発明の詳細な説明】
【技術分野】
【０００１】
本発明は、無線通信システムに関する。
【背景技術】
【０００２】
デュアル・モードまたはマルチ・モードの無線送受信ユニットは、それぞれが、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）および非３ＧＰＰシステムなどの、特定のＲＡＴ（Ｒａｄｉｏ  Ａｃｃｅｓｓ  Ｔｅｃｈｎｏｌｏｇｙ：無線アクセス技術）上で通信するように設計されている、二元的または複数の無線送受信機を有する。３ＧＰＰおよび非３ＧＰＰシステムの間のハンドオーバー（ｈａｎｄｏｖｅｒ）処理は、システム構成設定および動作という性質から時間がかかる場合がある。ＷＴＲＵが１つのシステムから別のシステムへ移動する場合には、もう一方のシステムにおいてそのＷＴＲＵを登録し、認証する必要があるため、１つの問題が生じる。同様の問題は、３ＧＰＰおよび非３ＧＰＰのシステムの間でのＳΙＰ（Ｓｅｓｓｉｏｎ  Ｉｎｉｔｉａｔｉｏｎ  Ｐｒｏｔｏｃｏｌ：セッション開始プロトコル）準拠のＳｅｓｓｉｏｎ  Ｃｏｎｔｉｎｕｉｔｙ（セッション継続性）処理に対して存在する。１つのシステムから別のシステムへ移動する場合には、ＩＭＳ（ＩＰ（Ｉｎｔｅｒｎｅｔ  Ｐｒｏｔｏｃｏｌ：インターネット・プロトコル）Ｍｕｌｔｉｍｅｄｉａ  Ｓｕｂｓｙｓｔｅｍ：ＩＰマルチメディア・サブシステム）に登録する前に、もう一方のシステムにおいてそのＷＴＲＵを登録し、認証する必要がある。
【発明の概要】
【発明が解決しようとする課題】
【０００３】
３ＧＰＰでは同時の無線送受信機動作を禁止しているために、別の問題が生じる場合がある。
【０００４】
１つのＷＴＲＵが３ＧＰＰ無線送受信機および非３ＧＰＰ無線送受信機を同時にアクティブにすることはできない。そのような場合には、デュアル・モードまたはマルチ・モード無線送受信機は、無線の切り替えに関して複雑な制御を必要とする。
【０００５】
したがって、ハンドオーバーに対して改良された方法および装置を提供することが有益であろう。
【課題を解決するための手段】
【０００６】
事前登録トンネリング手順を使用するモビリティ管理手順を最適化するための方法および装置が開示される。本方法および装置は、無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）および目標システムコア・ネットワーク（ＣＮ:Ｃｏｒｅ  Ｎｅｔｗｏｒｋ）の間のトンネルを確立するステップを具備する。ＷＴＲＵは、ソース・システムＣＮシステムから目標システムＣＮへハンドオーバーされる。
【図面の簡単な説明】
【０００７】
添付される図面に関連して例として与えられる以下の記述から、より詳細な理解を得ることができる。
【０００８】
【図１】本発明の一実施形態による、マルチ・モードＷＴＲＵにおけるデュアル・スタック動作のブロック図である。
【図２】本発明による、３ＧＰＰでの非３ＧＰＰへのハンドオーバーにおけるＳＩＰ準拠の継続性に対するマルチ・モードＷＴＲＵにおけるデュアル・スタック動作のブロック図である。
【図３】本発明による、非３ＧＰＰから３ＧＰＰへのハンドオーバーにおけるＳＩＰ準拠の継続性に対するマルチ・モードＷＴＲＵにおけるデュアル・スタック動作のブロック図である。
【図４Ａ】開示される方法による、３ＧＰＰから非３ＧＰＰへのハンドオーバーに対する事前登録および事前認証の信号線図である。
【図４Ｂ】開示される方法による、３ＧＰＰから非３ＧＰＰへのハンドオーバーに対する事前登録および事前認証の信号線図である。
【図５Ａ】開示される方法による、３ＧＰＰから非３ＧＰＰへのハンドオーバーに対する事前登録および事前認証の信号線図である。
【図５Ｂ】開示される方法による、３ＧＰＰから非３ＧＰＰへのハンドオーバーに対する事前登録および事前認証の信号線図である。
【図６Ａ】本発明による、３ＧＰＰから非３ＧＰＰへのハンドオーバーに対する事前登録の信号線図である。
【図６Ｂ】本発明による、３ＧＰＰから非３ＧＰＰへのハンドオーバーに対する事前登録の信号線図である。
【図６Ｃ】本発明による、３ＧＰＰから非３ＧＰＰへのハンドオーバーに対する事前登録の信号線図である。
【図７Ａ】本発明による、非３ＧＰＰから３ＧＰＰへのハンドオーバーに対する事前登録の信号線図である。
【図７Ｂ】本発明による、非３ＧＰＰから３ＧＰＰへのハンドオーバーに対する事前登録の信号線図である。
【図７Ｃ】本発明による、非３ＧＰＰから３ＧＰＰへのハンドオーバーに対する事前登録の信号線図である。
【発明を実施するための形態】
【０００９】
用語「無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）」はこれ以後参照されると、限定的ではなく、ユーザー設備（ＵＥ：Ｕｓｅｒ  Ｅｑｕｉｐｍｅｎｔ）、移動体端末（ｍｏｂｉｌｅ  ｓｔａｔｉｏｎ）、固定型または移動体の加入者ユニット、ページャー、携帯電話、携帯情報端末（ＰＤＡ:Ｐｅｒｓｏｎａｌ  Ｄｉｇｉｔａｌ  Ａｓｓｉｓｔａｎｔ）、コンピューター、または無線環境において動作する能力のある他の如何なる種別のユーザー・デバイスをも含む。これ以後参照されると、用語「基地局（ｂａｓｅ  ｓｔａｔｉｏｎ）」は、限定的ではなく、ノードＢ（Ｎｏｄｅ−Ｂ）、サイト制御装置、アクセス・ポイント（ＡＰ：Ａｃｃｅｓｓ  Ｐｏｉｎｔ）、または無線環境において動作する能力のある他の如何なる種別のインターフェイス・デバイスをも含む。
【００１０】
参照の目的のために、ＷＴＲＵがシステムＡからシステムＢへ移動する場合には、システムＡをソース・システムと定義し、システムＢを目標システムと定義する。開示される方法によると事前登録および事前認証手順は、目標システムへのアクセス手順を高速にするためにソース・システムを介してＷＴＲＵ中の上位レイヤーによって実行される。これは、ＩＰ構成設定およびＳＩＰ登録手順を含むことができる。開示される方法によると、ソース・システムは、目標システムを識別し、端末、および目標システム（例えば、３ＧＰＰ２、ＷｉＭＡＸ、またはＷｉＦｉ）のコア・ネットワーク（例えば、自動登録（ＡＲ：Ａｕｔｏｎｏｍｏｕｓ  Ｒｅｇｉｓｔｒａｔｉｏｎ）、またはＡＡＡ（Ａｃｃｅｓｓ（アクセス）、Ａｕｔｈｅｎｔｉｃａｔｉｏｎ（認証）、およびＡｃｃｏｕｎｔｉｎｇ（課金））の間にトンネルを確立し、アタッチ、ＩＰ構成設定、またはＳＩＰ登録などの、目標システムに対するアクセス手順を始めるようＷＴＲＵに命令する。アクセス手順およびＳＩＰ登録がうまく完了すると、ソース・システムは次に、目標システムに切り替えすなわちハンドオーバーし、ソース・システムに接続された無線を切断するようＷＴＲＵに命令する。
【００１１】
図１は、マルチ・モードＷＴＲＵ２０でのデュアル・スタック動作のブロック図である。図１に示されるように、ＷＴＲＵ２０は、第１の送受信機２２および第２の送受信機２４を具備する。第１および第２の送受信機２２および２４はそれぞれ、あるネットワーク種別の中で通信する。ネットワーク種別は、任意の３ＧＰＰまたは非３ＧＰＰネットワークの内の１つであることができる。この開示の目的のために、第１の送受信機２２は３ＧＰＰ送受信機であり、かつ第２の送受信機２４は非３ＧＰＰ送受信機である。
【００１２】
３ＧＰＰ送受信機２２および非３ＧＰＰ送受信機２４はそれぞれ、受信されて送信された無線通信を処理するための複数のレイヤーを含む。３ＧＰＰ送受信機２２は、３ＧＰＰ  無線リソース管理（ＲＲＣ：Ｒａｄｉｏ  Ｒｅｓｏｕｒｃｅ  Ｃｏｎｔｒｏｌ）および媒体アクセス制御（ＭＡＣ：Ｍｅｄｉｕｍ  Ａｃｃｅｓｓ  Ｃｏｎｔｒｏｌ）レイヤー２１０（レイヤー２）に結合された物理レイヤー２０１（レイヤー１）を具備する。ＲＲＣレイヤー２１０は、物理レイヤー２０１、３ＧＰＰ  モビリティ管理（ＭＭ：Ｍｏｂｉｌｉｔｙ  Ｍａｎａｇｅｍｅｎｔ）およびセッション管理（ＳＭ：Ｓｅｓｓｉｏｎ  Ｍａｎａｇｅｍｅｎｔ）レイヤー２２０（レイヤー３）、および非３ＧＰＰ  ＳＭおよびＭＭレイヤー２２１に結合され、以下に開示される。３ＧＰＰ  ＭＭレイヤー２２０は、ＲＲＣレイヤー２１０およびアプリケーション・レイヤー（例えばセッション開始プロトコル（ＳＩＰ：Ｓｅｓｓｉｏｎ  Ｉｎｉｔｉａｔｉｏｎ  Ｐｒｏｔｏｃｏｌ）２３０（レイヤー４）、ならびに非３ＧＰＰ  ＲＲＣおよびＭＡＣレイヤー２１１に結合され、以下に開示される。３ＧＰＰ  アプリケーション・レイヤー２３０は、ＭＭレイヤー２２０に結合される。
【００１３】
３ＧＰＰ送受信機２２と同様に、非３ＧＰＰ送受信機２４は、非３ＧＰＰ  ＲＲＣ２１１に結合された非３ＧＰＰ物理レイヤー２０１を具備する。ＲＲＣレイヤー２１１は、物理レイヤー２０２ならびに非３ＧＰＰ  ＭＭレイヤー２２１および３ＧＰＰ  ＭＭレイヤー２２０に結合される。非３ＧＰＰ  ＭＭレイヤー２２１は、非ＲＲＣレイヤー２１１および非３ＧＰＰアプリケーション・レイヤー２３１ならびに３ＧＰＰ  ＲＲＣレイヤー２１０に結合される。非３ＧＰＰアプリケーション２３１は、ＭＭレイヤー２２１に結合される。
【００１４】
３ＧＰＰおよび非３ＧＰＰシステムにおいてＷＴＲＵ２０による通信を収容するために、この開示される方法に従って、３ＧＰＰ  ＲＲＣレイヤー２１０は、非３ＧＰＰ  ＭＭレイヤー２２１と直接的な通信状態にある。同様に、非３ＧＰＰ  ＲＲＣレイヤー２１１は、３ＧＰＰ  ＭＭレイヤー２２０と直接的な通信状態にある。
【００１５】
図２は、３ＧＰＰから非３ＧＰＰへのハンドオーバーにおける、事前登録、ＩＰ構成設定、およびＳＩＰ準拠の継続性に対するマルチ・モードのＷＴＲＵ２００におけるデュアル・スタック動作のブロック図に示す。最初にマルチ・モードＷＴＲＵ２００は、ＷＴＲＵ２００中の内部の３ＧＰＰレイヤー２０１、２１０、２２０、および２３０を通して、３ＧＰＰ  ｅＮＢ（ｅ−ｎｏｄｅ  Ｂ：ｅノードＢ）３４０へ、３ＧＰＰ  ＣＮ（Ｃｏｒｅ  Ｎｅｔｗｏｒｋ：コア・ネットワーク）３３０、ＩＭＳ（ＩＰ  Ｍｕｌｔｉｍｅｄｉａ  Ｓｕｂｓｙｓｔｅｍ：ＩＰマルチメディア・サブシステム）３１０へ（経路１）、３ＧＰＰネットワーク上にて通信している。
【００１６】
３ＧＰＰネットワークから非３ＧＰＰネットワークへのハンドオーバーの間は、開示される方法に従って、非３ＧＰＰ無線送受信機２４は、３ＧＰＰ無線送受信機２５０を通してＩＭＳ３１０と通信する。そのようにして、非３ＧＰＰレイヤー４  ２３１からレイヤー３  ２２１、非３ＧＰＰレイヤー２  ２１１へ、通信が送られる。次に非３ＧＰＰレイヤー２  ２１１は、３ＧＰＰレイヤー３  ２２０に通信を転送する。３ＧＰＰレイヤー３  ２２０は、３ＧＰＰレイヤー２  ２１０およびレイヤー１  ２０１のレイヤーを通して、３ＧＰＰ  ｅＮＢ３４０および３ＧＰＰ  ＣＮ３３０に通信を転送する。３ＧＰＰ  ＣＮ３３０は、ゲートウェイ３２０を通してＩＭＳ２１０と通信状態にある非３ＧＰＰ  ＣＮ３６０と直接通信状態になる（経路２）。ハンドオーバーが完了すると、ＷＴＲＵ２００は、非３ＧＰＰ無線送受信機２４０、非３ＧＰＰ  ＲＡＮ（Ｒａｄｉｏ  Ａｃｃｅｓｓ  Ｎｅｔｗｏｒｋ：無線アクセス・ネットワーク）３５０、非３ＧＰＰ  ＣＮ３６０、およびゲートウェイ３２０を通して（経路３）ＩＭＳ３１０と通信する。
【００１７】
図３は、非３ＧＰＰから３ＧＰＰへのハンドオーバーにおける、事前登録、ＩＰ構成設定、およびＳＩＰ準拠の継続性に対するマルチ・モードのＷＴＲＵにおけるデュアル・スタック動作のブロック図に示す。最初にマルチ・モードＷＴＲＵ４００は、ＷＴＲＵ４００中の内部の非３ＧＰＰレイヤー４０８、４０６、４０４、および４０２を含む、非３ＧＰＰ無線送受信機４１１を通して、非３ＧＰＰ  ＲＡＮ４５０、非３ＧＰＰ  ＣＮ４６０へ、ゲートウェイ４２０を通してＩＭＳ４１０へと、非３ＧＰＰネットワーク上にて通信している（経路１）。非３ＧＰＰネットワークから３ＧＰＰネットワークへのハンドオーバーの間に、３ＧＰＰ無線送受信機４１２は、初めに非３ＧＰＰ無線送受信機４１１を通してＩＭＳ４１０と通信する。３ＧＰＰ無線送受信機４１２からの通信は、３ＧＰＰレイヤー４または３ＧＰＰレイヤー３  ４０５から３ＧＰＰレイヤー２  ４０３に送られる。その通信はレイヤー３  ４０３から非３ＧＰＰレイヤー３  ４０６に転送され、そこからその通信は次に非３ＧＰＰレイヤー３  ４０６へ転送され、そこからその通信は次に非３ＧＰＰレイヤー２  ４０４およびレイヤー１  ４０２を通して非３ＧＰＰ  ＲＡＮ４５０へ転送される。非３ＧＰＰ  ＲＡＮ４５０からその通信は非３ＧＰＰ  ＣＮ４３０へ転送され、そこからその通信は次にＩＭＳ４１０へ転送される（経路２）。ハンドオーバーが完了すると、ＷＴＲＵ４００は、３ＧＰＰレイヤー４  ４０５、４０６、４０３、および４０１を含む、３ＧＰＰ無線送受信機４１２、３ＧＰＰ  ｅＮＢ４４０、および３ＧＰＰ  ＣＮ４３０を通してＩＭＳと通信する（経路３）。
【００１８】
図４Ａおよび図４Ｂは、ＷＴＲＵ３０の３ＧＰＰハンドオーバー・ソース３３から非３ＧＰＰハンドオーバー目標３４へのハンドオーバーのための事前登録手順に対する信号線図である。ＷＴＲＵ３０は、３ＧＰＰ  コア・ネットワーク（ＣＮ：Ｃｏｒｅ  Ｎｅｔｗｏｒｋ）３３および非３ＧＰＰ  ＣＮ３４との通信のための３ＧＰＰ無線送受信機３１および非３ＧＰＰ無線送受信機３２を含む。簡略化のために、デュアル・モードのＷＴＲＵ３０が示されるが、しかしながらここに説明される信号方式は、複数の３ＧＰＰおよび非３ＧＰＰ無線送受信機を有するマルチ・モードＷＴＲＵに対して有効である。信号は、ＷＴＲＵ３０およびＣＮ３３、３４からの直接的信号として示されるが、ノードＢまたは基地局の無線送受信機（示されない）により中継することができる。
【００１９】
事前登録は、３ＧＰＰ送受信機３１が、３ＧＰＰおよび非３ＧＰＰの測定値一覧表１００を３ＧＰＰ  ＣＮ３３から受信することで始まる。測定値一覧表（１００）は、ハンドオーバー目標候補のチャンネル周波数を特定する。ＷＴＲＵ３０は、内部メモリ中に、周期的にチャンネル測定を開始するためにその一覧表を格納する（１０１）。３ＧＰＰ送受信機３１は、非３ＧＰＰのハンドオーバー目標候補の一覧表（１０３）と共に初期化信号（１０２）を非３ＧＰＰ送受信機３３に送る。非３ＧＰＰの送受信機３２は、チャンネルを監視し、測定を実行する測定手順を実行する（１０４）ためにある時間の間活性化される。非３ＧＰＰの送受信機３２は、監視されたチャンネルの測定報告書を３ＧＰＰ送受信機３１に送る（１０５）。非３ＧＰＰ送受信機３２による測定手順が完了すると、それを非活性化することができる。
【００２０】
３ＧＰＰ送受信機３１は、自身が為した測定を非３ＧＰＰ送受信機３２が為したものと結合し、結合された測定報告書を定式化し、その結合された測定報告書を３ＧＰＰ  ＣＮ３３に送信する（１０６）。３ＧＰＰ  ＣＮ３３は、その結合された測定報告書を調査し、ＷＴＲＵ３０のためのハンドオーバー目標システムを選択する（１０７）。次に３ＧＰＰ  ＣＮ３３は、ハンドオーバーの直接トンネルを開始するために目標非３ＧＰＰ  ＣＮ３４に信号を送り（１０８）、目標非３ＧＰＰ  ＣＮ３４はトンネル確立確認応答信号により応答する（１０９）。３ＧＰＰ  ＣＮ３３は、ハンドオーバーの直接トンネルを開始するために３ＧＰＰ送受信機３１に信号を送る（１１０）。この信号（１１０）には、非３ＧＰＰのＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）を含めることができる。３ＧＰＰ送受信機３１は、非３ＧＰＰの送受信機３２に目標ＩＤを送る（１１１）。非３ＧＰＰの送受信機３２は、３ＧＰＰ送受信機３１にハンドオーバー直接トンネルＡＣＫ（ＡＣＫｎｏｗｌｅｄｇｍｅｎｔ：確認応答）１１２を送り、それは次に信号１１３として３ＧＰＰ  ＣＮ３３に送られる。直接ハンドオーバー・トンネル１１４は、非３ＧＰＰ目標ＣＮ３４および非３ＧＰＰ送受信機３２の間で確立される。ソース３ＧＰＰ  ＣＮ３３は、非３ＧＰＰ登録を開始するために３ＧＰＰ送受信機３１に信号を送り（１１５）、次に信号（１１６）として非３ＧＰＰ送受信機３２に転送される。非３ＧＰＰ送受信機３２の上位レイヤーは、事前登録事前認証手順を実行し、３ＧＰＰ送受信機３１を介して非３ＧＰＰ目標ＣＮ  ３４に非３ＧＰＰ登録要求を送る（１１７）（１１８）。
【００２１】
３ＧＰＰ無線送受信機３２および非３ＧＰＰ目標ＣＮ３４は次に、認証手順を行う（１１９）。ハンドオーバーのトリガーは３ＧＰＰ  ＣＮ３３および非３ＧＰＰ  ＣＮ３４の間で直接的に通信され（１２０）、３ＧＰＰ  ＣＮ３３が、３ＧＰＰ送受信機３１への信号によりハンドオーバーを開始する（１２１）。３ＧＰＰ送受信機３１は、信号（１２２）として非３ＧＰＰ無線送受信機３２にオンするように命令する。オンにされた非３ＧＰＰ無線送受信機３２により、非３ＧＰＰ  ＣＮ３４との最初の交信が為され、無線交信手順が始められる（１２３）。３ＧＰＰ無線送受信機３１はオフにされ（１２４）、３ＧＰＰ  ＣＮ３３および非３ＧＰＰ  ＣＮ３４はハンドオーバー完了およびトンネル解放信号を交換する（１２５）。
【００２２】
図５Ａおよび図５Ｂは、ＷＴＲＵ３０の非３ＧＰＰソース３３から３ＧＰＰ３４へのハンドオーバーのための事前登録手順に対する信号線図である。ＷＴＲＵ３０は、非３ＧＰＰ  ＣＮ３３および３ＧＰＰ  ＣＮ３４との通信のための非３ＧＰＰ送受信機３１および３ＧＰＰ無線送受信機３２を含む。
【００２３】
事前登録は、非３ＧＰＰ送受信機３１が、３ＧＰＰおよび非３ＧＰＰの測定値一覧表（１３０）を非３ＧＰＰ  ＣＮ３３から受信することで始まる。測定値一覧表（１３０）は、ハンドオーバー目標候補のチャンネル周波数を特定する。ＷＴＲＵ３０は、内部メモリ中に、周期的にチャンネル測定を開始するためにその一覧表を格納する（１３１）。非３ＧＰＰ送受信機３１は、３ＧＰＰのハンドオーバー目標候補の一覧表（１３３）と共に初期化信号（１３２）を３ＧＰＰ送受信機３２に送る。３ＧＰＰ送受信機３２は、活性化され、チャンネルを監視しかつ測定を実行する（１３４）。
【００２４】
３ＧＰＰ送受信機３２は、監視されたチャンネルの測定報告書を非３ＧＰＰ送受信機３１に送る（１３５）。非３ＧＰＰ送受信機３１は、自身が為した測定を３ＧＰＰ送受信機３２が為したものと結合し、結合された測定報告書を定式化し、その結合された測定報告書を非３ＧＰＰ  ＣＮ３３に送信する（１３６）。非３ＧＰＰ  ＣＮ３３は、その結合された測定報告書を調査し、ＷＴＲＵ３０のためのハンドオーバー目標システムを選択する（１３７）。非３ＧＰＰ  ＣＮ３３は、ハンドオーバーの直接トンネルを開始するために目標３ＧＰＰ  ＣＮ３４に信号３４を送り（１３８）、目標３ＧＰＰ  ＣＮ３４はトンネル確立確認応答信号により応答する（１３９）。非３ＧＰＰＣＮ３３は、ハンドオーバー直接トンネルを開始するために非３ＧＰＰ送受信機３１に信号を送る（１４０）。信号１４０には、３ＧＰＰのＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）を含めることができる。非３ＧＰＰ送受信機３１は、目標ＩＤを３ＧＰＰ送受信機３２に送る（１４１）。３ＧＰＰ送受信機３２は、ハンドオーバー直接トンネルＡＣＫ（ＡＣＫｎｏｗｌｅｄｇｍｅｎｔ：確認応答）を非３ＧＰＰ送受信機３１に送り（１４２）、それは次に信号（１４３）として非３ＧＰＰ  ＣＮ３３に転送される。直接ハンドオーバー・トンネルは、３ＧＰＰ目標ＣＮ３４および３ＧＰＰ送受信機３２の間で確立される（１４４）。ソースの非３ＧＰＰ  ＣＮ３３は、非３ＧＰＰ送受信機３１に３ＧＰＰ登録を開始するために信号を送り（１４５）、それは次に信号（１４６）として３ＧＰＰ送受信機３２に転送される。非３ＧＰＰ送受信機３１を介して３ＧＰＰ送受信機３２から３ＧＰＰ目標ＣＮ３４に３ＧＰＰ登録要求が送られる（１４７、１４８）。
【００２５】
次に非３ＧＰＰ無線送受信機３１および３ＧＰＰ目標ＣＮ３４は、認証手順を行う（１４９）。ハンドオーバーのトリガーは非３ＧＰＰ  ＣＮ３３および３ＧＰＰ  ＣＮ３４の間で直接的に通信され（１５０）、非３ＧＰＰ  ＣＮ３３が、非３ＧＰＰ送受信機３１への信号によりハンドオーバーを開始する（１５１）。非３ＧＰＰ送受信機３１は、信号（１５２）により非３ＧＰＰ無線送受信機３２にオンするように命令する。オンにされた３ＧＰＰ無線送受信機３２により、３ＧＰＰ  ＣＮ３４との最初の交信が為され、無線交信手順が始められる（１５３）。非３ＧＰＰ無線送受信機３１はオフにされ（１５４）、非３ＧＰＰ  ＣＮ３３および３ＧＰＰ  ＣＮ３４はハンドオーバー完了およびトンネル解放信号を交換する（１５８）。
【００２６】
図６Ａ、図６Ｂ、および図６Ｃは、３ＧＰＰから非３ＧＰＰへの事前登録に対する信号線図である。ＷＴＲＵ５００は、３ＧＰＰ無線送受信機５０１および非３ＧＰＰ無線送受信機５０２を含む。ＷＴＲＵ５００中の３ＧＰＰ無線送受信機５０１および３ＧＰＰ  ＣＮ５１０の間、および３ＧＰＰ  ＣＮ５１０からＩＭＳ５３０に、ＳＩＰ接続がある（５５０）。３ＧＰＰ  ＣＮ５１０は、３ＧＰＰおよび非３ＧＰＰ測定値一覧表（５５１）をＷＴＲＵ５００に送信する。ＷＴＲＵ５００は、周波数一覧表を受信し、その一覧表を内部メモリに格納する（５５２）。次にＷＴＲＵ５００は、周期的にチャンネル測定を開始することができる。
【００２７】
ＷＴＲＵ５００中の３ＧＰＰ無線送受信機５０１は次に、非３ＧＰＰ無線送受信機５０２を初期化し（５５３）、非３ＧＰＰ目標の一覧表を非３ＧＰＰ無線送受信機５０２に送る（５５４）ことができる。順に、非３ＧＰＰ無線送受信機５０２は、チャンネルを監視し、測定を実行する（５５５）ことができる。次に測定報告書が３ＧＰＰ無線送受信機５０１に送られ（５５６）、次にそこからすべての測定報告書を３ＧＰＰ  ＣＮ５１０に送信する（５５７）ことが可能である。
【００２８】
３ＧＰＰ  ＣＮ５１０は、目標システムを決定するために使用することができる測定報告書およびハンドオーバー評価基準を調査する（５５８）。３ＧＰＰ  ＣＮ５１０が目標システムを決定すると、目標とされる非３ＧＰＰ  ＣＮ５２０へのハンドオーバー直接トンネルが開始される（５５９）。
【００２９】
非３ＧＰＰネットワーク５２０からのトンネル確立確認応答メッセージを受信（５６０）した後に、３ＧＰＰ  ＣＮ５１０は次にＷＴＲＵ５００中の３ＧＰＰ無線送受信機５０１を通して非３ＧＰＰ無線送受信機５０２により直接ハンドオーバー・トンネルを開始する（５６１、５６２）。ハンドオーバー・トンネルは、望ましくは非３ＧＰＰ無線送受信機５０２によって３ＧＰＰ  ＣＮ５０１に対して確認応答され（５６３、５６４）、ハンドオーバー・トンネルが確立される。
【００３０】
トンネルが確立されると、３ＧＰＰ  ＣＮ５１０は非３ＧＰＰ登録を開始する。非３ＧＰＰ無線送受信機５０２は、３ＧＰＰ無線送受信機５０１を通して非３ＧＰＰ  ＣＮ５２０に登録要求を送る（５７２、５７３）。要求（５７３）においては、ＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）は非３ＧＰＰ  ＣＮ５２０に関連する。次に非３ＧＰＰ  ＣＮ５２０と共に３ＧＰＰ無線送受信機５０１が認証手順を行う（５７４、５７５）。
【００３１】
望ましくはＷＴＲＵ５００および非３ＧＰＰ  ＣＮ５２０の間のＩＰ構成設定手順がここで開始することが望ましい（５８０、５８１）。ＩＰ構成設定が完了すると（５８２）、ＳＩＰ登録が開始される（５９０、５９１）。ＳＩＰ登録が完了すると（５９３）、３ＧＰＰおよび非３ＧＰＰのＣＮの間には、直接的ＳＩＰ接続性ができる（５９２）場合がある。３ＧＰＰ  ＣＮ５１０は次に、ＷＴＲＵ５００が非３ＧＰＰ  ＣＮ５２０にハンドオーバーするよう命令する（５９１）ことができる。ＷＴＲＵ５００中の非３ＧＰＰ無線送受信機５０２はオンにされ、非３ＧＰＰ  ＣＮ５２０と交信する（５９４）。３ＧＰＰ無線送受信機５０１はオフにされ、ハンドオーバーは完了し（５９６）、トンネルは解放される（５９８）。
【００３２】
図７Ａ、図７Ｂ、および図７Ｃは、非３ＧＰＰから３ＧＰＰへの事前登録に対する信号線図である。ＷＴＲＵ６００は、３ＧＰＰ無線送受信機６０１および非３ＧＰＰ無線送受信機６０２を含む。ＷＴＲＵ６００中の非３ＧＰＰの無線送受信機６０１および非３ＧＰＰ  ＣＮ６２０の間に、ならびに非３ＧＰＰ  ＣＮ６３０からＩＭＳ６３０に、ＳＩＰ接続がある。非３ＧＰＰ  ＣＮ６２０は、３ＧＰＰおよび非３ＧＰＰ測定値一覧表（６４１）をＷＴＲＵ６００に送信することができる。ＷＴＲＵ６００は、周波数一覧表を受信し、内部メモリにその一覧表を格納する（６４２）ことが可能である。ＷＴＲＵ６００は次に、チャンネル測定を周期的に開始することができる。
【００３３】
ＷＴＲＵ６００中の非３ＧＰＰ６０２無線は次に、３ＧＰＰ無線６０１を初期化し（６４３）、３ＧＰＰ目標の一覧表を３ＧＰＰ無線６０１に送る（６４４）ことができる。順に、３ＧＰＰ無線６０１は、チャンネルを監視し、測定を実行する（６４５）ことができる。非３ＧＰＰ無線に測定報告書を送り（６４６）、次にすべての測定報告書を非３ＧＰＰ  ＣＮ６２０に送信すること（６４７）が可能である。
【００３４】
３ＧＰＰ  ＣＮ６２０は、測定報告書およびハンドオーバー評価基準を調査することが望ましく、次に目標システムを決定し（６４８）、目標とされた３ＧＰＰシステム６１０に対してハンドオーバー直接トンネルを開始する（６４９）。
【００３５】
３ＧＰＰネットワーク６１０からのトンネル確立確認応答メッセージ（６５０）を受信した後に、非３ＧＰＰ  ＣＮ６２０が、ＷＴＲＵ６００中の３ＧＰＰ無線送受信機６０１により、非３ＧＰＰ無線送受信機６０２を通して（６５２）直接ハンドオーバー・トンネルを開始する（６５１）ことができる。ハンドオーバー・トンネルは、望ましくは３ＧＰＰ無線送受信機６０１により非３ＧＰＰ無線送受信機６０２を通して（６５３）確認応答され（６５４）、ハンドオーバー・トンネル６５５が確立される。
【００３６】
トンネルが確立されると、非３ＧＰＰ  ＣＮ６２０は、非３ＧＰＰ無線６０２を通して３ＧＰＰ無線６０１により３ＧＰＰ登録を開始する（６６０、６６１）ことができる。３ＧＰＰ無線送受信機６０１は、非３ＧＰＰ無線送受信機６０２を通して（６６２）登録要求６６３を３ＧＰＰ  ＣＮ６１０に送る。要求（６６２、６６３）において、ＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）は非３ＧＰＰ  ＣＮ６２０に関連する。３ＧＰＰ  ＣＮ６１０と共にＷＴＲＵ６００中の３ＧＰＰ無線送受信機６０１は認証手順を行う（６６４、６６５）。
【００３７】
次に３ＧＰＰ  ＩＰ構成設定が始められ（６７０）、ＷＴＲＵ６００および３ＧＰＰ  ＣＮ６２０の間のＩＰ構成設定手順が行われる（６７１、６７２）。ＩＰ構成設定が完了する（６７３）と、ＳＩＰ登録が始められる（６８０）。３ＧＰＰ無線送受信機６０２は、非３ＧＰＰ無線送受信機６０２を通してＳＩＰ登録を要求し（６８１）、そこからこれを非３ＧＰＰ  ＣＮ６２０へ通信し（６８３）、そこで次にＩＭＳ６３０と通信する（６８４）。同一の信号経路（６８４、６８３、６３２、６３１）に沿って３ＧＰＰ無線送受信機６０１にＳＩＰ登録情報が送られる。ＳＩＰ登録が完了６８５すると、３ＧＰＰ無線送受信機６０１および３ＧＰＰ  ＣＮ６１０の間（６８６）、ならびに３ＧＰＰ  ＣＮ６２０およびＩＭＳ６３０の間（６８７）に、ＳＩＰ接続性ができる。
【００３８】
３ＧＰＰ  ＣＮ６１０へのハンドオーバーが完了する（６８８）と、次に非３ＧＰＰ無線送受信機６０２およびＩＭＳ６３０の間でＳＩＰ登録解除およびＩＰ解放手順が実行され（６８９）、３ＧＰＰ  ＣＮ６１０へのハンドオーバーは完了し、非３ＧＰＰ無線ベアラーが解放される（６９０、６９１）。３ＧＰＰ無線送受信機６０１は、ＳＩＰおよびＩＭＳ動作における中断なしで３ＧＰＰ  ＣＮ６１０への接続を完了する（６９２）ことができる。
【００３９】
実施形態
１．第１の送受信機および第２の送受信機を含む無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）におけるソース・システムから目標システムへのハンドオーバー（ＨＯ：ＨａｎｄＯｖｅｒ）のための方法であって、
前記第１のハンドオーバー中に含まれる第１の送受信機無線リソース管理（ＲＲＣ:Ｒａｄｉｏ  Ｒｅｓｏｕｒｃｅ  Ｃｏｎｔｒｏｌ）レイヤーが、前記第２の送受信機中に含まれる第２の送受信機モビリティ管理（ＭＭ：Ｍｏｂｉｌｉｔｙ  Ｍａｎａｇｅｍｅｎｔ）レイヤーへＨＯメッセージを通信するステップと、
前記第２の送受信機ＭＭレイヤーから前記第１の送受信機ＲＲＣレイヤーへ、ＨＯ確認応答を含む交差通信を送るステップであって、それにより前記ＨＯ確認応答が、前記第１の送受信機によって前記ソース・システムに送信されることと、
ハンドオーバーの前に前記目標システムにより前記第２の送受信機を事前登録するステップであって、前記第１の送受信機ＲＲＣレイヤーが、前記目標システムから前記第２の送受信機ＭＭレイヤーへ登録情報を交差通信することと
を具備することを特徴とする方法。
【００４０】
２．前記ソース・システムから目標ネットワーク登録を開始するためのメッセージを前記第１の送受信機にて受信するステップであって、前記メッセージが、前記第１の送受信機ＲＲＣレイヤーにより前記第２の送受信機ＭＭレイヤーに送られること
をさらに具備することを特徴とする実施形態１に記載の方法。
【００４１】
３．前記第１の送受信機にて、前記第１のシステムから第２のシステム測定値一覧表を受信するステップと、
前記測定値一覧表を前記第２の送受信機に送るステップと
をさらに具備することを特徴とする前のいずれかの実施形態に記載の方法。
【００４２】
４．前記第１の送受信機が、目標システムの一覧表を前記第２の送受信機に送ることを特徴とする実施形態３に記載の方法。
【００４３】
５．前記第２の送受信機にて、目標システムの前記一覧表に対するチャンネルを測定するステップと、
測定報告書を前記第１の送受信機に送るステップと、
前記測定報告書を前記ソース・システムに送信するステップと
をさらに具備することを特徴とする実施形態４に記載の方法。
【００４４】
６．前記第２の送受信機および前記目標システムの間に直接ＨＯトンネルを確立するステップをさらに具備することを特徴とする前のいずれかの実施形態に記載の方法。
【００４５】
７．前記目標システム・チャンネルを測定するために前記第２の送受信機を初期化するステップをさらに具備することを特徴とする前のいずれかの実施形態に記載の方法。
【００４６】
８．前記目標システムへハンドオーバーすると前記第１の送受信機をオフにするステップをさらに具備することを特徴とする前のいずれかの実施形態に記載の方法。
【００４７】
９．前記目標システムが非３ＧＰＰネットワークであり、前記ソース・システムが３ＧＰＰネットワークであることを特徴とする前のいずれかの実施形態に記載の方法。
【００４８】
１０．前記第１の送受信機が３ＧＰＰ送受信機であり、前記第２の送受信機が非３ＧＰＰ送受信機であることを特徴とする実施形態９に記載の方法。
【００４９】
１１．前記目標システムが３ＧＰＰネットワークであり、前記ソース・システムが非３ＧＰＰネットワークであることを特徴とする前のいずれかの実施形態に記載の方法。
【００５０】
１２．前記第１の送受信機が非３ＧＰＰ送受信機であり、前記第２の送受信機が３ＧＰＰ送受信機であることを特徴とする実施形態１１に記載の方法。
【００５１】
１３．前記ハンドオーバーが、ＳＩＰ（Ｓｅｓｓｉｏｎ  Ｉｎｉｔｉａｔｉｏｎ  Ｐｒｏｔｏｃｏｌ：セッション開始プロトコル）準拠のハンドオーバーであることを特徴とする前のいずれかの実施形態に記載の方法。
【００５２】
１４．ＩＰ構成設定を開始するステップと、
前記第２の送受信機が、前記第１の送受信機を介して前記目標システムとの目標ＩＰ構成設定手順を行うステップと
をさらに具備することを特徴とする実施形態１３に記載の方法。
【００５３】
１５．
前記目標システムに対する前記ＩＰ構成設定を前記第２の送受信機に提供するステップと、
前記第２の送受信機が、前記目標システムと直接的に目標無線交信手順を行うステップと
をさらに具備することを特徴とする実施形態１３および１４の内のいずれかに記載の方法。
【００５４】
１６．前記第１の送受信機および前記ソース・システムを通して前記第２の送受信機により前記目標システムとのＳＩＰ登録を開始するステップ
をさらに具備することを特徴とする実施形態１３〜１５の内のいずれかに記載の方法。
【００５５】
１７．前記第１の送受信機が、前記第２の送受信機に前記ＳＩＰ登録情報を送るステップ
をさらに具備することを特徴とする実施形態１６に記載の方法。
【００５６】
１８．前記第２の送受信機および前記目標システムの間にＳＩＰ接続性を確立するステップ
をさらに具備することを特徴とする実施形態１７に記載の方法。
【００５７】
１９．前記第１の送受信機を登録解除するステップ
をさらに具備することを特徴とする前のいずれかの実施形態に記載の方法。
【００５８】
２０．前記第１の送受信機にてハンドオーバー完了メッセージを受信するステップと、
前記第１の送受信機をオフにするステップと
をさらに具備することを特徴とする前のいずれかの実施形態に記載の方法。
【００５９】
２１．前記第２の送受信機が、前記目標システムとの無線周波数接続性手順を行うステップ
をさらに具備することを特徴とする前のいずれかの実施形態に記載の方法。
【００６０】
２２．ソース・システムから目標システムへハンドオーバーを行うように構成される無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）であって、
前記ソース・システムと通信するための、少なくとも第１のモビリティ管理（ＭＭ：Ｍｏｂｉｌｉｔｙ  Ｍａｎａｇｅｍｅｎｔ）レイヤーおよび無線リソース管理（ＲＲＣ:Ｒａｄｉｏ  Ｒｅｓｏｕｒｃｅ  Ｃｏｎｔｒｏｌ）レイヤーを含む第１の送受信機と、
ハンドオーバーすると前記目標システムと通信するための、少なくとも第２のＭＭレイヤーおよび第２のＲＲＣレイヤーを含む第２の送受信機と、
ここで、前記第１のＲＲＣレイヤーおよび第２のＭＭレイヤー、ならびに前記第１のＭＭレイヤーおよび前記第２のＲＲＣレイヤーの間の交差通信リンクを通して前記ソース・システムおよび前記第２の送受信機の間でハンドオーバーが行われることと、
前記交差通信リンクが、それにより前記第２の送受信機および目標システムの間にハンドオーバー直接トンネルを確立することと
を具備することを特徴とする無線送受信ユニット（ＷＴＲＵ）。
【００６１】
２３．実施形態１〜２１のいずれかを実施するように構成されることを特徴とする無線送受信ユニット（ＷＴＲＵ）。
特徴および要素が上で特定の組み合わせにて記述されているが、それぞれの特徴または要素は、他の特徴および要素なしで単独にて、または他の特徴および要素のあるなしに拘わらず様々な組み合わせにて使用可能である。ここに提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００６２】
適切な処理装置の例としては、汎用目的処理装置、専用目的処理装置、従来の処理装置、デジタル信号処理装置（ＤＳＰ：Ｄｉｇｉｔａｌ  Ｓｉｇｎａｌ  Ｐｒｏｃｅｓｓｏｒ）、複数のマイクロ処理装置、ＤＳＰコアに関連付けられた１つまたは複数のマイクロ処理装置、制御装置、マイクロ制御装置、特定用途向けＩＣ（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他のいずれかの種別の集積回路（ＩＣ：Ｉｎｔｅｇｒａｔｅｄ  Ｃｉｒｃｕｉｔ）、および／または状態マシンが含まれる。
【００６３】
無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）、ユーザー設備（ＵＥ：Ｕｓｅｒ  Ｅｑｕｉｐｍｅｎｔ）、端末、基地局（ｂａｓｅ  ｓｔａｔｉｏｎ）、無線ネットワーク制御装置（ＲＮＣ：Ｒａｄｉｏ  Ｎｅｔｗｏｒｋ  Ｃｏｎｔｒｏｌｌｅｒ）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、液晶表示（ＬＣＤ：Ｌｉｑｕｉｄ  Ｃｒｙｓｔａｌ  Ｄｉｓｐｌａｙ）表示ユニット、有機発光ダイオード（ＯＬＥＤ：Ｏｒｇａｎｉｃ  Ｌｉｇｈｔ−Ｅｍｉｔｔｉｎｇ  Ｄｉｏｄｅ）表示ユニット、デジタル音楽プレーヤー、メディア・プレーヤー、テレビゲーム・プレーヤー・モジュール、インターネット・ブラウザー、ならびに／または任意の無線ＬＡＮ（ＷＬＡＮ：Ｗｉｒｅｌｅｓｓ  Ｌｏｃａｌ  Ａｃｃｅｓｓ  Ｎｅｔｗｏｒｋ）モジュールまたは超広帯域（ＵＷＢ：Ｕｌｔｒａ  Ｗｉｄｅ  Ｂａｎｄ）モジュールなどのモジュールと連動して使用することができる。
【図１】
2010533457.tif 000003
【図２】
2010533457.tif 000004
【図３】
2010533457.tif 000005
【図４Ａ】
2010533457.tif 000006
【図４Ｂ】
2010533457.tif 000007
【図５Ａ】
2010533457.tif 000008
【図５Ｂ】
2010533457.tif 000009
【図６Ａ】
2010533457.tif 000010
【図６Ｂ】
2010533457.tif 000011
【図６Ｃ】
2010533457.tif 000012
【図７Ａ】
2010533457.tif 000013
【図７Ｂ】
2010533457.tif 000014
【図７Ｃ】
2010533457.tif 000015
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
第１のネットワーク種別において動作するための第１の送受信機および第２のネットワーク種別において動作するための第２の送受信機を含むマルチ・モード無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）における、前記第１のネットワーク種別であるソース・システムから前記第２のネットワーク種別である目標システムへのハンドオーバー（ＨＯ：ＨａｎｄＯｖｅｒ）のための方法であって、
前記第１の送受信機中に含まれる第１の送受信機無線リソース管理（ＲＲＣ：Ｒａｄｉｏ  Ｒｅｓｏｕｒｃｅ  Ｃｏｎｔｒｏｌ）モジュールから、前記第２の送受信機中に含まれる第２の送受信機モビリティ管理（ＭＭ：Ｍｏｂｉｌｉｔｙ  Ｍａｎａｇｅｍｅｎｔ）モジュールへハンドオーバー（ＨＯ）メッセージを通信するステップと、
前記第２の送受信機モビリティ管理（ＭＭ）モジュールから前記第１の送受信機無線リソース管理（ＲＲＣ）モジュールへ、ハンドオーバー（ＨＯ）確認応答を含む交差通信を送るステップであって、前記ハンドオーバー（ＨＯ）確認応答が、前記第１の送受信機によって前記ソース・システムに送信されるステップと、
ハンドオーバーの前に前記第１の送受信機を通して前記第２の送受信機を前記目標システムに事前登録するステップであって、前記第１の送受信機無線リソース管理（ＲＲＣ）モジュールが、前記目標システムから前記第２の送受信機モビリティ管理（ＭＭ）モジュールへ登録情報を交差通信して、前記第２の送受信機および前記目標システムの間にハンドオーバー（ＨＯ）直接トンネルを確立するステップと
を具えたことを特徴とする方法。
【請求項２】
前記ソース・システムから目標システム登録を開始するためのメッセージを前記第１の送受信機にて受信するステップであって、前記メッセージが、前記第１の送受信機無線リソース管理（ＲＲＣ）モジュールにより前記第２の送受信機モビリティ管理（ＭＭ）モジュールに送られること
をさらに具えたことを特徴とする請求項１記載の方法。
【請求項３】
前記第１の送受信機にて、前記ソース・システムから目標システム測定値一覧表を受信するステップと、
前記測定値一覧表を前記第２の送受信機に送るステップと
をさらに具えたことを特徴とする請求項１記載の方法。
【請求項４】
前記第１の送受信機が、目標システムの一覧表を前記第２の送受信機に送ることを特徴とする請求項３記載の方法。
【請求項５】
前記第２の送受信機にて、目標システムの前記一覧表に対するチャンネルを測定するステップと、
測定報告書を前記第１の送受信機に送るステップと、
前記測定報告書を前記ソース・システムに送信するステップと
をさらに具えたことを特徴とする請求項４記載の方法。
【請求項６】
目標システムの前記一覧表に関連付けられたチャンネルを測定するために前記第２の送受信機を初期化するステップをさらに具えたことを特徴とする請求項４記載の方法。
【請求項７】
前記目標システムへハンドオーバーすると前記第１の送受信機をオフにするステップ
をさらに具えたことを特徴とする請求項１記載の方法。
【請求項８】
前記第１のネットワーク種別が３ＧＰＰネットワークであり、前記第２のネットワーク種別が非３ＧＰＰネットワークであることを特徴とする請求項１記載の方法。
【請求項９】
前記第１の送受信機が３ＧＰＰ送受信機であり、前記第２の送受信機が非３ＧＰＰ送受信機であることを特徴とする請求項１記載の方法。
【請求項１０】
第１のネットワーク種別であるソース・システムから第２のネットワーク種別である目標システムへハンドオーバーを行うように構成される無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）であって、
前記第１のネットワーク種別において動作しかつ前記ソース・システムと通信するための、少なくとも第１の送受信機モビリティ管理（ＭＭ：Ｍｏｂｉｌｉｔｙ  Ｍａｎａｇｅｍｅｎｔ）モジュールおよび第１の送受信機無線リソース管理（ＲＲＣ：Ｒａｄｉｏ  Ｒｅｓｏｕｒｃｅ  Ｃｏｎｔｒｏｌ）モジュールを含む第１の送受信機と、
ハンドオーバーすると前記第２のネットワーク種別において動作しかつ前記目標システムと通信するための、少なくとも第２の送受信機モビリティ管理（ＭＭ）モジュールおよび第２の送受信機無線リソース管理（ＲＲＣ）モジュールを含む第２の送受信機と
を具え、
ハンドオーバーが、前記第１の送受信機無線リソース管理（ＲＲＣ）モジュールおよび第２の送受信機モビリティ管理（ＭＭ）モジュール、ならびに前記第１の送受信機モビリティ管理（ＭＭ）モジュールおよび前記第２の送受信機無線リソース管理（ＲＲＣ）モジュールの間の交差通信リンクを通して前記ソース・システムおよび前記第２の送受信機の間で行われ、前記交差通信リンクが、前記第２の送受信機および目標システムの間にハンドオーバー直接トンネルを確立することを特徴とする無線送受信ユニット（ＷＴＲＵ）。
【請求項１１】
前記第２の送受信機が、目標システム・トンネル・エンドポイント識別子(ＩＤ）を含む、ＨＯ直接トンネル・メッセージを、前記ソース・システムから前記第１の送受信機ＲＲＣモジュールおよび前記第２の送受信機ＭＭモジュールの間の前記通信リンクを通して受信することを特徴とする請求項１０記載の無線送受信ユニット（ＷＴＲＵ）。
【請求項１２】
前記第２の送受信機が、前記第１の送受信機ＲＲＣモジュールおよび前記第２の送受信機ＭＭモジュールの間の前記交差通信を通して前記目標システムから目標システム登録情報を受信することであって、前記第２の送受信機が、ハンドオーバーの前に前記目標システムによって事前登録され、かつ事前認証されることを特徴とする請求項１０記載の無線送受信ユニット（ＷＴＲＵ）。
【請求項１３】
前記目標システムに対してハンドオーバーを開始すると、前記第１の送受信機がオフにされ、前記第２の送受信機がオンにされることを特徴とする請求項１１記載の無線送受信ユニット（ＷＴＲＵ）。
【請求項１４】
前記ソース・システムが第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）ネットワークであり、前記目標システムが非３ＧＰＰネットワークであることを特徴とする請求項１１記載の無線送受信ユニット（ＷＴＲＵ）。
【請求項１５】
前記第１の送受信機が非第３世代パートナーシップ・プロジェクト（非３ＧＰＰ）ネットワークと通信するように構成され、前記第２の送受信機が第３世代パートナーシップ・プロジェクト（３ＧＰＰ）ネットワークと通信するように構成されることを特徴とする請求項１１記載の無線送受信ユニット（ＷＴＲＵ）。
【手続補正書】
【提出日】平成22年5月11日(2010.5.11)
【手続補正１】
【補正対象書類名】明細書
【補正対象項目名】全文
【補正方法】変更
【補正の内容】
【発明の詳細な説明】
【技術分野】
【０００１】
本発明は、無線通信システムに関する。
【背景技術】
【０００２】
デュアル・モードまたはマルチ・モードの無線送受信ユニットは、それぞれが、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）および非３ＧＰＰシステムなどの、特定のＲＡＴ（Ｒａｄｉｏ  Ａｃｃｅｓｓ  Ｔｅｃｈｎｏｌｏｇｙ：無線アクセス技術）上で通信するように設計されている、二元的または複数の無線送受信機を有する。３ＧＰＰおよび非３ＧＰＰシステムの間のハンドオーバー（ｈａｎｄｏｖｅｒ）処理は、システム構成設定および動作という性質から時間がかかる場合がある。ＷＴＲＵが１つのシステムから別のシステムへ移動する場合には、もう一方のシステムにおいてそのＷＴＲＵを登録し、認証する必要があるため、１つの問題が生じる。同様の問題は、３ＧＰＰおよび非３ＧＰＰのシステムの間でのＳΙＰ（Ｓｅｓｓｉｏｎ  Ｉｎｉｔｉａｔｉｏｎ  Ｐｒｏｔｏｃｏｌ：セッション開始プロトコル）準拠のＳｅｓｓｉｏｎ  Ｃｏｎｔｉｎｕｉｔｙ（セッション継続性）処理に対して存在する。１つのシステムから別のシステムへ移動する場合には、ＩＭＳ（ＩＰ（Ｉｎｔｅｒｎｅｔ  Ｐｒｏｔｏｃｏｌ：インターネット・プロトコル）Ｍｕｌｔｉｍｅｄｉａ  Ｓｕｂｓｙｓｔｅｍ：ＩＰマルチメディア・サブシステム）に登録する前に、もう一方のシステムにおいてそのＷＴＲＵを登録し、認証する必要がある。
【発明の概要】
【発明が解決しようとする課題】
【０００３】
３ＧＰＰでは同時の無線送受信機動作を禁止しているために、別の問題が生じる場合がある。
【０００４】
１つのＷＴＲＵが３ＧＰＰ無線送受信機および非３ＧＰＰ無線送受信機を同時にアクティブにすることはできない。そのような場合には、デュアル・モードまたはマルチ・モード無線送受信機は、無線の切り替えに関して複雑な制御を必要とする。
【０００５】
したがって、ハンドオーバーに対して改良された方法および装置を提供することが有益であろう。
【課題を解決するための手段】
【０００６】
事前登録トンネリング手順を使用するモビリティ管理手順を最適化するための方法および装置が開示される。本方法および装置は、無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）および目標システムコア・ネットワーク（ＣＮ:Ｃｏｒｅ  Ｎｅｔｗｏｒｋ）の間のトンネルを確立するステップを具備する。ＷＴＲＵは、ソース・システムＣＮシステムから目標システムＣＮへハンドオーバーされる。
【図面の簡単な説明】
【０００７】
添付される図面に関連して例として与えられる以下の記述から、より詳細な理解を得ることができる。
【０００８】
【図１】本発明の一実施形態による、マルチ・モードＷＴＲＵにおけるデュアル・スタック動作のブロック図である。
【図２】本発明による、３ＧＰＰでの非３ＧＰＰへのハンドオーバーにおけるＳＩＰ準拠の継続性に対するマルチ・モードＷＴＲＵにおけるデュアル・スタック動作のブロック図である。
【図３】本発明による、非３ＧＰＰから３ＧＰＰへのハンドオーバーにおけるＳＩＰ準拠の継続性に対するマルチ・モードＷＴＲＵにおけるデュアル・スタック動作のブロック図である。
【図４Ａ】開示される方法による、３ＧＰＰから非３ＧＰＰへのハンドオーバーに対する事前登録および事前認証の信号線図である。
【図４Ｂ】開示される方法による、３ＧＰＰから非３ＧＰＰへのハンドオーバーに対する事前登録および事前認証の信号線図である。
【図５Ａ】開示される方法による、非３ＧＰＰから３ＧＰＰへのハンドオーバーに対する事前登録および事前認証の信号線図である。
【図５Ｂ】開示される方法による、非３ＧＰＰから３ＧＰＰへのハンドオーバーに対する事前登録および事前認証の信号線図である。
【図６Ａ】本発明による、３ＧＰＰから非３ＧＰＰへのハンドオーバーに対する事前登録の信号線図である。
【図６Ｂ】本発明による、３ＧＰＰから非３ＧＰＰへのハンドオーバーに対する事前登録の信号線図である。
【図６Ｃ】本発明による、３ＧＰＰから非３ＧＰＰへのハンドオーバーに対する事前登録の信号線図である。
【図７Ａ】本発明による、非３ＧＰＰから３ＧＰＰへのハンドオーバーに対する事前登録の信号線図である。
【図７Ｂ】本発明による、非３ＧＰＰから３ＧＰＰへのハンドオーバーに対する事前登録の信号線図である。
【図７Ｃ】本発明による、非３ＧＰＰから３ＧＰＰへのハンドオーバーに対する事前登録の信号線図である。
【発明を実施するための形態】
【０００９】
用語「無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）」はこれ以後参照されると、限定的ではなく、ユーザー設備（ＵＥ：Ｕｓｅｒ  Ｅｑｕｉｐｍｅｎｔ）、移動体端末（ｍｏｂｉｌｅ  ｓｔａｔｉｏｎ）、固定型または移動体の加入者ユニット、ページャー、携帯電話、携帯情報端末（ＰＤＡ:Ｐｅｒｓｏｎａｌ  Ｄｉｇｉｔａｌ  Ａｓｓｉｓｔａｎｔ）、コンピューター、または無線環境において動作する能力のある他の如何なる種別のユーザー・デバイスをも含む。これ以後参照されると、用語「基地局（ｂａｓｅ  ｓｔａｔｉｏｎ）」は、限定的ではなく、ノードＢ（Ｎｏｄｅ−Ｂ）、サイト制御装置、アクセス・ポイント（ＡＰ：Ａｃｃｅｓｓ  Ｐｏｉｎｔ）、または無線環境において動作する能力のある他の如何なる種別のインターフェイス・デバイスをも含む。
【００１０】
参照の目的のために、ＷＴＲＵがシステムＡからシステムＢへ移動する場合には、システムＡをソース・システムと定義し、システムＢを目標システムと定義する。開示される方法によると事前登録および事前認証手順は、目標システムへのアクセス手順を高速にするためにソース・システムを介してＷＴＲＵ中の上位レイヤーによって実行される。これは、ＩＰ構成設定およびＳＩＰ登録手順を含むことができる。開示される方法によると、ソース・システムは、目標システムを識別し、端末、および目標システム（例えば、３ＧＰＰ２、ＷｉＭＡＸ、またはＷｉＦｉ）のコア・ネットワーク（例えば、自動登録（ＡＲ：Ａｕｔｏｎｏｍｏｕｓ  Ｒｅｇｉｓｔｒａｔｉｏｎ）、またはＡＡＡ（Ａｃｃｅｓｓ（アクセス）、Ａｕｔｈｅｎｔｉｃａｔｉｏｎ（認証）、およびＡｃｃｏｕｎｔｉｎｇ（課金））の間にトンネルを確立し、アタッチ、ＩＰ構成設定、またはＳＩＰ登録などの、目標システムに対するアクセス手順を始めるようＷＴＲＵに命令する。アクセス手順およびＳＩＰ登録がうまく完了すると、ソース・システムは次に、目標システムに切り替えすなわちハンドオーバーし、ソース・システムに接続された無線を切断するようＷＴＲＵに命令する。
【００１１】
図１は、マルチ・モードＷＴＲＵ２０でのデュアル・スタック動作のブロック図である。図１に示されるように、ＷＴＲＵ２０は、第１の送受信機２２および第２の送受信機２４を具備する。第１および第２の送受信機２２および２４はそれぞれ、あるネットワーク種別の中で通信する。ネットワーク種別は、任意の３ＧＰＰまたは非３ＧＰＰネットワークの内の１つであることができる。この開示の目的のために、第１の送受信機２２は３ＧＰＰ送受信機であり、かつ第２の送受信機２４は非３ＧＰＰ送受信機である。
【００１２】
３ＧＰＰ送受信機２２および非３ＧＰＰ送受信機２４はそれぞれ、受信されて送信された無線通信を処理するための複数のレイヤーを含む。３ＧＰＰ送受信機２２は、３ＧＰＰ  無線リソース管理（ＲＲＣ：Ｒａｄｉｏ  Ｒｅｓｏｕｒｃｅ  Ｃｏｎｔｒｏｌ）および媒体アクセス制御（ＭＡＣ：Ｍｅｄｉｕｍ  Ａｃｃｅｓｓ  Ｃｏｎｔｒｏｌ）レイヤー２１０（レイヤー２）に結合された物理レイヤー２０１（レイヤー１）を具備する。３ＧＰＰ  ＲＲＣ  および  ＭＡＣレイヤー２１０は、物理レイヤー２０１、３ＧＰＰ セッション管理（ＳＭ：Ｓｅｓｓｉｏｎ  Ｍａｎａｇｅｍｅｎｔ）  および  モビリティ管理（ＭＭ：Ｍｏｂｉｌｉｔｙ  Ｍａｎａｇｅｍｅｎｔ）  レイヤー２２０（レイヤー３）、および非３ＧＰＰ  ＳＭおよびＭＭレイヤー２２１に結合され、以下に開示される。３ＧＰＰ  ＳＭおよびＭＭレイヤー２２０は、３ＧＰＰ  ＲＲＣおよびＭＡＣレイヤー２１０および３ＧＰＰ  アプリケーション・レイヤー（例えばセッション開始プロトコル（ＳＩＰ：Ｓｅｓｓｉｏｎ  Ｉｎｉｔｉａｔｉｏｎ  Ｐｒｏｔｏｃｏｌ）２３０（レイヤー４）、ならびに非３ＧＰＰ  ＲＲＣおよびＭＡＣレイヤー２１１に結合され、以下に開示される。３ＧＰＰ  アプリケーション・レイヤー２３０は、３ＧＰＰ  ＳＭおよびＭＭレイヤー２２０に結合される。
【００１３】
３ＧＰＰ送受信機２２と同様に、非３ＧＰＰ送受信機２４は、非３ＧＰＰ  ＲＲＣおよびＭＡＣレイヤー２１１に結合された非３ＧＰＰ物理レイヤー２０２を具備する。非３ＧＰＰ  ＲＲＣおよびＭＡＣレイヤー２１１は、非３ＧＰＰ物理レイヤー２０２ならびに非３ＧＰＰ  ＳＭおよびＭＭレイヤー２２１および３ＧＰＰ  ＳＭおよびＭＭレイヤー２２０に結合される。非３ＧＰＰ  ＳＭおよびＭＭレイヤー２２１は、非３ＧＰＰＲＲＣおよびＭＡＣレイヤー２１１および非３ＧＰＰアプリケーション・レイヤー２３１ならびに３ＧＰＰ  ＲＲＣおよびＭＡＣレイヤー２１０に結合される。非３ＧＰＰアプリケーションレイヤー２３１は、非３ＧＰＰ  ＳＭおよびＭＭレイヤー２２１に結合される。
【００１４】
３ＧＰＰおよび非３ＧＰＰシステムにおいてＷＴＲＵ２０による通信を収容するために、この開示される方法に従って、３ＧＰＰ  ＲＲＣおよびＭＡＣレイヤー２１０は、非３ＧＰＰ  ＳＭおよびＭＭレイヤー２２１と直接的な通信状態にある。同様に、非３ＧＰＰ  およびＭＡＣＲＲＣレイヤー２１１は、３ＧＰＰ  ＳＭおよびＭＭレイヤー２２０と直接的な通信状態にある。
【００１５】
図２は、３ＧＰＰから非３ＧＰＰへのハンドオーバーにおける、事前登録、ＩＰ構成設定、およびＳＩＰ準拠の継続性に対するマルチ・モードのＷＴＲＵ２００におけるデュアル・スタック動作のブロック図に示す。最初にマルチ・モードＷＴＲＵ２００は、ＷＴＲＵ２００中の内部の３ＧＰＰレイヤー２０１、２１０、２２０、および２３０を通して、３ＧＰＰ  ｅＮＢ（ｅ−ｎｏｄｅ  Ｂ：ｅノードＢ）３４０へ、３ＧＰＰ  ＣＮ（Ｃｏｒｅ  Ｎｅｔｗｏｒｋ：コア・ネットワーク）３３０、ＩＭＳ（ＩＰ  Ｍｕｌｔｉｍｅｄｉａ  Ｓｕｂｓｙｓｔｅｍ：ＩＰマルチメディア・サブシステム）３１０へ（経路１）、３ＧＰＰネットワーク上にて通信している。
【００１６】
３ＧＰＰネットワークから非３ＧＰＰネットワークへのハンドオーバーの間は、開示される方法に従って、非３ＧＰＰ無線送受信機２４０は、３ＧＰＰ無線送受信機２５０を通してＩＭＳ３１０と通信する。そのようにして、非３ＧＰＰレイヤー４  ２３１から非３ＧＰＰレイヤー３  ２２１、非３ＧＰＰレイヤー２  ２１１へ、通信が送られる。次に非３ＧＰＰレイヤー２  ２１１は、３ＧＰＰレイヤー３  ２２０に通信を転送する。３ＧＰＰレイヤー３  ２２０は、３ＧＰＰレイヤー２  ２１０および３ＧＰＰレイヤー１  ２０１のレイヤーを通して、３ＧＰＰ  ｅＮＢ３４０および３ＧＰＰ  ＣＮ３３０に通信を転送する。３ＧＰＰ  ＣＮ３３０は、ゲートウェイ３２０を通してＩＭＳ３１０と通信状態にある非３ＧＰＰ  ＣＮ３６０と直接通信状態になる（経路２）。ハンドオーバーが完了すると、ＷＴＲＵ２００は、非３ＧＰＰ無線送受信機２４０、非３ＧＰＰ  ＲＡＮ（Ｒａｄｉｏ  Ａｃｃｅｓｓ  Ｎｅｔｗｏｒｋ：無線アクセス・ネットワーク）３５０、非３ＧＰＰ  ＣＮ３６０、およびゲートウェイ３２０を通して（経路３）ＩＭＳ３１０と通信する。
【００１７】
図３は、非３ＧＰＰから３ＧＰＰへのハンドオーバーにおける、事前登録、ＩＰ構成設定、およびＳＩＰ準拠の継続性に対するマルチ・モードのＷＴＲＵにおけるデュアル・スタック動作のブロック図に示す。最初にマルチ・モードＷＴＲＵ４００は、ＷＴＲＵ４００中の内部の非３ＧＰＰレイヤー４０８、４０６、４０４、および４０２を含む、非３ＧＰＰ無線送受信機４１１を通して、非３ＧＰＰ  ＲＡＮ４５０、非３ＧＰＰ  ＣＮ４６０へ、ゲートウェイ４２０を通してＩＭＳ４１０へと、非３ＧＰＰネットワーク上にて通信している（経路１）。非３ＧＰＰネットワークから３ＧＰＰネットワークへのハンドオーバーの間に、３ＧＰＰ無線送受信機４１２は、初めに非３ＧＰＰ無線送受信機４１１を通してＩＭＳ４１０と通信する。３ＧＰＰ無線送受信機４１２からの通信は、３ＧＰＰレイヤー４  ４０７から３ＧＰＰレイヤー３  ４０５を介して３ＧＰＰレイヤー２  ４０３に送られる。その通信は３ＧＰＰレイヤー２  ４０３から非３ＧＰＰレイヤー３  ４０６に転送され、そこからその通信は次に非３ＧＰＰレイヤー２  ４０４および非３ＧＰＰレイヤー１  ４０２を通して非３ＧＰＰ  ＲＡＮ４５０へ転送される。非３ＧＰＰ  ＲＡＮ４５０からその通信は非３ＧＰＰ  ＣＮ４６０に転送され、そこからその通信は次に３ＧＰＰ  ＣＮ４３０へ転送され、そこからその通信は次にＩＭＳ４１０へ転送される（経路２）。ハンドオーバーが完了すると、ＷＴＲＵ４００は、３ＧＰＰレイヤー ４０７、４０５、４０３、および４０１を含む、３ＧＰＰ無線送受信機４１２、３ＧＰＰ  ｅＮＢ４４０、および３ＧＰＰ  ＣＮ４３０を通してＩＭＳ４１０と通信する（経路３）。
【００１８】
図４Ａおよび図４Ｂは、ＷＴＲＵ３０の３ＧＰＰハンドオーバー・ソース３３から非３ＧＰＰハンドオーバー目標３４へのハンドオーバーのための事前登録手順に対する信号線図である。ＷＴＲＵ３０は、３ＧＰＰ  コア・ネットワーク（ＣＮ：Ｃｏｒｅ  Ｎｅｔｗｏｒｋ）３３および非３ＧＰＰ  ＣＮ３４との通信のための３ＧＰＰ無線送受信機３１および非３ＧＰＰ無線送受信機３２を含む。簡略化のために、デュアル・モードのＷＴＲＵ３０が示されるが、しかしながらここに説明される信号方式は、複数の３ＧＰＰおよび非３ＧＰＰ無線送受信機を有するマルチ・モードＷＴＲＵに対して有効である。信号は、ＷＴＲＵ３０およびＣＮ３３、３４からの直接的信号として示されるが、ノードＢまたは基地局の無線送受信機（示されない）により中継することができる。
【００１９】
事前登録は、３ＧＰＰ送受信機３１が、３ＧＰＰおよび非３ＧＰＰの測定値一覧表１００を３ＧＰＰ  ＣＮ３３から受信することで始まる。測定値一覧表（１００）は、ハンドオーバー目標候補のチャンネル周波数を特定する。ＷＴＲＵ３０は、内部メモリ中に、周期的にチャンネル測定を開始するためにその一覧表を格納する（１０１）。３ＧＰＰ送受信機３１は、非３ＧＰＰのハンドオーバー目標候補の一覧表（１０３）と共に初期化信号（１０２）を非３ＧＰＰ送受信機３２に送る。非３ＧＰＰの送受信機３２は、チャンネルを監視し、測定を実行する測定手順を実行する（１０４）ためにある時間の間活性化される。非３ＧＰＰの送受信機３２は、監視されたチャンネルの測定報告書を３ＧＰＰ送受信機３１に送る（１０５）。非３ＧＰＰ送受信機３２による測定手順が完了すると、それを非活性化することができる。
【００２０】
３ＧＰＰ送受信機３１は、自身が為した測定を非３ＧＰＰ送受信機３２が為したものと結合し、結合された測定報告書を定式化し、その結合された測定報告書を３ＧＰＰ  ＣＮ３３に送信する（１０６）。３ＧＰＰ  ＣＮ３３は、その結合された測定報告書を調査し、ＷＴＲＵ３０のためのハンドオーバー目標システムを選択する（１０７）。次に３ＧＰＰ  ＣＮ３３は、ハンドオーバーの直接トンネルを開始するために目標非３ＧＰＰ  ＣＮ３４に信号を送り（１０８）、目標非３ＧＰＰ  ＣＮ３４はトンネル確立確認応答信号により応答する（１０９）。３ＧＰＰ  ＣＮ３３は、ハンドオーバーの直接トンネルを開始するために３ＧＰＰ送受信機３１に信号を送る（１１０）。この信号（１１０）には、非３ＧＰＰのＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）を含めることができる。３ＧＰＰ送受信機３１は、非３ＧＰＰの送受信機３２に目標ＩＤを送る（１１１）。非３ＧＰＰの送受信機３２は、３ＧＰＰ送受信機３１にハンドオーバー直接トンネルＡＣＫ（ＡＣＫｎｏｗｌｅｄｇｍｅｎｔ：確認応答）１１２を送り、それは次に信号１１３として３ＧＰＰ  ＣＮ３３に送られる。直接ハンドオーバー・トンネル１１４は、非３ＧＰＰ目標ＣＮ３４および非３ＧＰＰ送受信機３２の間で確立される。ソース３ＧＰＰ  ＣＮ３３は、非３ＧＰＰ登録を開始するために３ＧＰＰ送受信機３１に信号を送り（１１５）、次に信号（１１６）として非３ＧＰＰ送受信機３２に転送される。非３ＧＰＰ送受信機３２の上位レイヤーは、事前登録事前認証手順を実行し、３ＧＰＰ送受信機３１を介して非３ＧＰＰ目標ＣＮ  ３４に非３ＧＰＰ登録要求を送る（１１７）（１１８）。
【００２１】
３ＧＰＰ無線送受信機３１および非３ＧＰＰ目標ＣＮ３４は次に、認証手順を行う（１１９）。ハンドオーバーのトリガーは３ＧＰＰ  ＣＮ３３および非３ＧＰＰ  ＣＮ３４の間で直接的に通信され（１２０）、３ＧＰＰ  ＣＮ３３が、３ＧＰＰ送受信機３１への信号によりハンドオーバーを開始する（１２１）。３ＧＰＰ送受信機３１は、信号（１２２）として非３ＧＰＰ無線送受信機３２にオンするように命令する。オンにされた非３ＧＰＰ無線送受信機３２により、非３ＧＰＰ  ＣＮ３４との最初の交信が為され、無線交信手順が始められる（１２３）。３ＧＰＰ無線送受信機３１はオフにされ（１２４）、３ＧＰＰ  ＣＮ３３および非３ＧＰＰ  ＣＮ３４はハンドオーバー完了およびトンネル解放信号を交換する（１２５）。
【００２２】
図５Ａおよび図５Ｂは、ＷＴＲＵ３０の非３ＧＰＰソース３３から３ＧＰＰ３４へのハンドオーバーのための事前登録手順に対する信号線図である。ＷＴＲＵ３０は、非３ＧＰＰ  ＣＮ３３および３ＧＰＰ  ＣＮ３４との通信のための非３ＧＰＰ送受信機３１および３ＧＰＰ無線送受信機３２を含む。
【００２３】
事前登録は、非３ＧＰＰ送受信機３１が、３ＧＰＰおよび非３ＧＰＰの測定値一覧表（１３０）を非３ＧＰＰ  ＣＮ３３から受信することで始まる。測定値一覧表（１３０）は、ハンドオーバー目標候補のチャンネル周波数を特定する。ＷＴＲＵ３０は、内部メモリ中に、周期的にチャンネル測定を開始するためにその一覧表を格納する（１３１）。非３ＧＰＰ送受信機３１は、３ＧＰＰのハンドオーバー目標候補の一覧表（１３３）と共に初期化信号（１３２）を３ＧＰＰ送受信機３２に送る。３ＧＰＰ送受信機３２は、活性化され、チャンネルを監視しかつ測定を実行する（１３４）。
【００２４】
３ＧＰＰ送受信機３２は、監視されたチャンネルの測定報告書を非３ＧＰＰ送受信機３１に送る（１３５）。非３ＧＰＰ送受信機３１は、自身が為した測定を３ＧＰＰ送受信機３２が為したものと結合し、結合された測定報告書を定式化し、その結合された測定報告書を非３ＧＰＰ  ＣＮ３３に送信する（１３６）。非３ＧＰＰ  ＣＮ３３は、その結合された測定報告書を調査し、ＷＴＲＵ３０のためのハンドオーバー目標システムを選択する（１３７）。非３ＧＰＰ  ＣＮ３３は、ハンドオーバーの直接トンネルを開始するために目標３ＧＰＰ  ＣＮ３４に信号を送り（１３８）、目標３ＧＰＰ  ＣＮ３４はトンネル確立確認応答信号により応答する（１３９）。非３ＧＰＰＣＮ３３は、ハンドオーバー直接トンネルを開始するために非３ＧＰＰ送受信機３１に信号を送る（１４０）。信号１４０には、３ＧＰＰのＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）を含めることができる。非３ＧＰＰ送受信機３１は、目標ＩＤを３ＧＰＰ送受信機３２に送る（１４１）。３ＧＰＰ送受信機３２は、ハンドオーバー直接トンネルＡＣＫ（ＡＣＫｎｏｗｌｅｄｇｍｅｎｔ：確認応答）を非３ＧＰＰ送受信機３１に送り（１４２）、それは次に信号（１４３）として非３ＧＰＰ  ＣＮ３３に転送される。直接ハンドオーバー・トンネルは、３ＧＰＰ目標ＣＮ３４および３ＧＰＰ送受信機３２の間で確立される（１４４）。ソースの非３ＧＰＰ  ＣＮ３３は、非３ＧＰＰ送受信機３１に３ＧＰＰ登録を開始するために信号を送り（１４５）、それは次に信号（１４６）として３ＧＰＰ送受信機３２に転送される。非３ＧＰＰ送受信機３１を介して３ＧＰＰ送受信機３２から３ＧＰＰ目標ＣＮ３４に３ＧＰＰ登録要求が送られる（１４７、１４８）。
【００２５】
次に非３ＧＰＰ無線送受信機３１および３ＧＰＰ目標ＣＮ３４は、認証手順を行う（１４９）。ハンドオーバーのトリガーは非３ＧＰＰ  ＣＮ３３および３ＧＰＰ  ＣＮ３４の間で直接的に通信され（１５０）、非３ＧＰＰ  ＣＮ３３が、非３ＧＰＰ送受信機３１への信号によりハンドオーバーを開始する（１５１）。非３ＧＰＰ送受信機３１は、信号（１５２）により３ＧＰＰ無線送受信機３２にオンするように命令する。オンにされた３ＧＰＰ無線送受信機３２により、３ＧＰＰ  ＣＮ３４との最初の交信が為され、無線交信手順が始められる（１５３）。非３ＧＰＰ無線送受信機３１はオフにされ（１５４）、非３ＧＰＰ  ＣＮ３３および３ＧＰＰ  ＣＮ３４はハンドオーバー完了およびトンネル解放信号を交換する（１５５）。
【００２６】
図６Ａ、図６Ｂ、および図６Ｃは、３ＧＰＰから非３ＧＰＰへの事前登録に対する信号線図である。ＷＴＲＵ５００は、３ＧＰＰ無線送受信機５０１および非３ＧＰＰ無線送受信機５０２を含む。ＷＴＲＵ５００中の３ＧＰＰ無線送受信機５０１および３ＧＰＰ  ＣＮ５１０の間、および３ＧＰＰ  ＣＮ５１０からＩＭＳ５３０に、ＳＩＰ接続がある（５５０）。３ＧＰＰ  ＣＮ５１０は、３ＧＰＰおよび非３ＧＰＰ測定値一覧表（５５１）をＷＴＲＵ５００に送信する。ＷＴＲＵ５００は、周波数一覧表を受信し、その一覧表を内部メモリに格納する（５５２）。次にＷＴＲＵ５００は、周期的にチャンネル測定を開始することができる。
【００２７】
ＷＴＲＵ５００中の３ＧＰＰ無線送受信機５０１は次に、非３ＧＰＰ無線送受信機５０２を初期化し（５５３）、非３ＧＰＰ目標の一覧表を非３ＧＰＰ無線送受信機５０２に送る（５５４）ことができる。順に、非３ＧＰＰ無線送受信機５０２は、チャンネルを監視し、測定を実行する（５５５）ことができる。次に測定報告書が３ＧＰＰ無線送受信機５０１に送られ（５５６）、次にそこからすべての測定報告書を３ＧＰＰ  ＣＮ５１０に送信する（５５７）ことが可能である。
【００２８】
３ＧＰＰ  ＣＮ５１０は、目標システムを決定するために使用することができる測定報告書およびハンドオーバー評価基準を調査する（５５８）。３ＧＰＰ  ＣＮ５１０が目標システムを決定すると、目標とされる非３ＧＰＰ  ＣＮ５２０へのハンドオーバー直接トンネルが開始される（５５９）。
【００２９】
非３ＧＰＰネットワーク５２０からのトンネル確立確認応答メッセージを受信（５６０）した後に、３ＧＰＰ  ＣＮ５１０は次にＷＴＲＵ５００中の３ＧＰＰ無線送受信機５０１を通して（５６２）非３ＧＰＰ無線送受信機５０２により直接ハンドオーバー・トンネルを開始する（５６１）。ハンドオーバー・トンネルは、望ましくは非３ＧＰＰ無線送受信機５０２によって（５６３）３ＧＰＰ  ＣＮ５１０に対して確認応答され（５６４）、ハンドオーバー・トンネルが確立される。
【００３０】
トンネルが確立されると、３ＧＰＰ  ＣＮ５１０は非３ＧＰＰ登録を開始する。非３ＧＰＰ無線送受信機５０２は、３ＧＰＰ無線送受信機５０１を通して非３ＧＰＰ  ＣＮ５２０に登録要求を送る（５７２、５７３）。要求（５７３）においては、ＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）は非３ＧＰＰ  ＣＮ５２０に関連する。次に非３ＧＰＰ  ＣＮ５２０と共に３ＧＰＰ無線送受信機５０１が認証手順を行う（５７４、５７５）。
【００３１】
望ましくはＷＴＲＵ５００および非３ＧＰＰ  ＣＮ５２０の間のＩＰ構成設定手順がここで開始することが望ましい（５８０、５８１）。ＩＰ構成設定が完了すると（５８２）、ＳＩＰ登録が開始される（５９０、５９１）。ＳＩＰ登録が完了すると（５９３）、３ＧＰＰおよび非３ＧＰＰのＣＮの間には、直接的ＳＩＰ接続性ができる（５９２）場合がある。３ＧＰＰ  ＣＮ５１０は次に、ＷＴＲＵ５００が非３ＧＰＰ  ＣＮ５２０にハンドオーバーするよう命令する（５９１）ことができる。ＷＴＲＵ５００中の非３ＧＰＰ無線送受信機５０２はオンにされ、非３ＧＰＰ  ＣＮ５２０と交信する（５９４）。３ＧＰＰ無線送受信機５０１はオフにされ、ハンドオーバーは完了し（５９６）、トンネルは解放される（５９８）。
【００３２】
図７Ａ、図７Ｂ、および図７Ｃは、非３ＧＰＰから３ＧＰＰへの事前登録に対する信号線図である。ＷＴＲＵ６００は、３ＧＰＰ無線送受信機６０２および非３ＧＰＰ無線送受信機６０２を含む。ＷＴＲＵ６００中の非３ＧＰＰの無線送受信機６０１および非３ＧＰＰ  ＣＮ６２０の間に、ならびに非３ＧＰＰ  ＣＮ６２０からＩＭＳ６３０に、ＳＩＰ接続がある。非３ＧＰＰ  ＣＮ６２０は、３ＧＰＰおよび非３ＧＰＰ測定値一覧表（６４１）をＷＴＲＵ６００に送信することができる。ＷＴＲＵ６００は、周波数一覧表を受信し、内部メモリにその一覧表を格納する（６４２）ことが可能である。ＷＴＲＵ６００は次に、チャンネル測定を周期的に開始することができる。
【００３３】
ＷＴＲＵ６００中の非３ＧＰＰ無線送受信機６０２は次に、３ＧＰＰ無線６０１を初期化し（６４３）、３ＧＰＰ目標の一覧表を３ＧＰＰ無線６０１に送る（６４４）ことができる。順に、３ＧＰＰ無線６０１は、チャンネルを監視し、測定を実行する（６４５）ことができる。非３ＧＰＰ無線送受信機６０２に測定報告書を送り（６４６）、次にすべての測定報告書を非３ＧＰＰ  ＣＮ６２０に送信すること（６４７）が可能である。
【００３４】
３ＧＰＰ  ＣＮ６２０は、測定報告書およびハンドオーバー評価基準を調査することが望ましく、次に目標システムを決定し（６４８）、目標とされた３ＧＰＰシステム６１０に対してハンドオーバー直接トンネルを開始する（６４９）。
【００３５】
３ＧＰＰネットワーク６１０からのトンネル確立確認応答メッセージ（６５０）を受信した後に、非３ＧＰＰ  ＣＮ６２０が、ＷＴＲＵ６００中の３ＧＰＰ無線送受信機６０１により、非３ＧＰＰ無線送受信機６０２を通して（６５２）直接ハンドオーバー・トンネルを開始する（６５１）ことができる。ハンドオーバー・トンネルは、望ましくは３ＧＰＰ無線送受信機６０１により非３ＧＰＰ無線送受信機６０２を通して（６５３）確認応答され（６５４）、ハンドオーバー・トンネル６５５が確立される。
【００３６】
トンネルが確立されると、非３ＧＰＰ  ＣＮ６２０は、非３ＧＰＰ無線６０２を通して３ＧＰＰ無線６０１により３ＧＰＰ登録を開始する（６６０、６６１）ことができる。３ＧＰＰ無線送受信機６０１は、非３ＧＰＰ無線送受信機６０２を通して（６６２）登録要求６６３を３ＧＰＰ  ＣＮ６１０に送る。要求（６６２、６６３）において、ＴＥＩＤ（Ｔｕｎｎｅｌ  Ｅｎｄｐｏｉｎｔ  ＩＤｅｎｔｉｆｉｃａｔｉｏｎ：トンネル・エンドポイント識別子）は非３ＧＰＰ  ＣＮ６２０に関連する。３ＧＰＰ  ＣＮ６１０と共にＷＴＲＵ６００中の３ＧＰＰ無線送受信機６０１は認証手順を行う（６６４、６６５）。
【００３７】
次に３ＧＰＰ  ＩＰ構成設定が始められ（６７０）、ＷＴＲＵ６００および３ＧＰＰ  ＣＮ６１０の間のＩＰ構成設定手順が行われる（６７１、６７２）。ＩＰ構成設定が完了する（６７３）と、ＳＩＰ登録が始められる（６８０）。３ＧＰＰ無線送受信機６０１は、非３ＧＰＰ無線送受信機６０２を通してＳＩＰ登録を要求し（６８１）、そこからこれを非３ＧＰＰ  ＣＮ６２０へ通信し（６８２）、そこからその通信は３ＧＰＰ ＣＮ６１０へ通信し（６８３）、そこで次にＩＭＳ６３０と通信する（６８４）。同一の信号経路（６８１、６８２、６８３、６８４）に沿って３ＧＰＰ無線送受信機６０１にＳＩＰ登録情報が送られる。ＳＩＰ登録が完了６８５すると、３ＧＰＰ無線送受信機６０１および３ＧＰＰ  ＣＮ６１０の間（６８６）、ならびに３ＧＰＰ  ＣＮ６１０およびＩＭＳ６３０の間（６８７）に、ＳＩＰ接続性ができる。
【００３８】
３ＧＰＰ  ＣＮ６１０へのハンドオーバーが完了する（６８８）と、次に非３ＧＰＰ無線送受信機６０２およびＩＭＳ６３０の間でＳＩＰ登録解除およびＩＰ解放手順が実行され（６８９）、３ＧＰＰ  ＣＮ６１０へのハンドオーバーは完了し、非３ＧＰＰ無線ベアラーが解放される（６９０、６９１）。３ＧＰＰ無線送受信機６０１は、ＳＩＰおよびＩＭＳ動作における中断なしで３ＧＰＰ  ＣＮ６１０への接続を完了する（６９２）ことができる。
【００３９】
実施形態
１．第１の送受信機および第２の送受信機を含む無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）におけるソース・システムから目標システムへのハンドオーバー（ＨＯ：ＨａｎｄＯｖｅｒ）のための方法であって、
前記第１の送受信機中に含まれる第１の送受信機無線リソース管理（ＲＲＣ:Ｒａｄｉｏ  Ｒｅｓｏｕｒｃｅ  Ｃｏｎｔｒｏｌ）レイヤーが、前記第２の送受信機中に含まれる第２の送受信機モビリティ管理（ＭＭ：Ｍｏｂｉｌｉｔｙ  Ｍａｎａｇｅｍｅｎｔ）レイヤーへＨＯメッセージを通信するステップと、
前記第２の送受信機ＭＭレイヤーから前記第１の送受信機ＲＲＣレイヤーへ、ＨＯ確認応答を含む交差通信を送るステップであって、それにより前記ＨＯ確認応答が、前記第１の送受信機によって前記ソース・システムに送信されることと、
ハンドオーバーの前に前記目標システムにより前記第２の送受信機を事前登録するステップであって、前記第１の送受信機ＲＲＣレイヤーが、前記目標システムから前記第２の送受信機ＭＭレイヤーへ登録情報を交差通信することと
を具備することを特徴とする方法。
【００４０】
２．前記ソース・システムから目標ネットワーク登録を開始するためのメッセージを前記第１の送受信機にて受信するステップであって、前記メッセージが、前記第１の送受信機ＲＲＣレイヤーにより前記第２の送受信機ＭＭレイヤーに送られること
をさらに具備することを特徴とする実施形態１に記載の方法。
【００４１】
３．前記第１の送受信機にて、前記第１のシステムから第２のシステム測定値一覧表を受信するステップと、
前記測定値一覧表を前記第２の送受信機に送るステップと
をさらに具備することを特徴とする前のいずれかの実施形態に記載の方法。
【００４２】
４．前記第１の送受信機が、目標システムの一覧表を前記第２の送受信機に送ることを特徴とする実施形態３に記載の方法。
【００４３】
５．前記第２の送受信機にて、目標システムの前記一覧表に対するチャンネルを測定するステップと、
測定報告書を前記第１の送受信機に送るステップと、
前記測定報告書を前記ソース・システムに送信するステップと
をさらに具備することを特徴とする実施形態４に記載の方法。
【００４４】
６．前記第２の送受信機および前記目標システムの間に直接ＨＯトンネルを確立するステップをさらに具備することを特徴とする前のいずれかの実施形態に記載の方法。
【００４５】
７．前記目標システム・チャンネルを測定するために前記第２の送受信機を初期化するステップをさらに具備することを特徴とする前のいずれかの実施形態に記載の方法。
【００４６】
８．前記目標システムへハンドオーバーすると前記第１の送受信機をオフにするステップをさらに具備することを特徴とする前のいずれかの実施形態に記載の方法。
【００４７】
９．前記目標システムが非３ＧＰＰネットワークであり、前記ソース・システムが３ＧＰＰネットワークであることを特徴とする前のいずれかの実施形態に記載の方法。
【００４８】
１０．前記第１の送受信機が３ＧＰＰ送受信機であり、前記第２の送受信機が非３ＧＰＰ送受信機であることを特徴とする実施形態９に記載の方法。
【００４９】
１１．前記目標システムが３ＧＰＰネットワークであり、前記ソース・システムが非３ＧＰＰネットワークであることを特徴とする前のいずれかの実施形態に記載の方法。
【００５０】
１２．前記第１の送受信機が非３ＧＰＰ送受信機であり、前記第２の送受信機が３ＧＰＰ送受信機であることを特徴とする実施形態１１に記載の方法。
【００５１】
１３．前記ハンドオーバーが、ＳＩＰ（Ｓｅｓｓｉｏｎ  Ｉｎｉｔｉａｔｉｏｎ  Ｐｒｏｔｏｃｏｌ：セッション開始プロトコル）準拠のハンドオーバーであることを特徴とする前のいずれかの実施形態に記載の方法。
【００５２】
１４．ＩＰ構成設定を開始するステップと、
前記第２の送受信機が、前記第１の送受信機を介して前記目標システムとの目標ＩＰ構成設定手順を行うステップと
をさらに具備することを特徴とする実施形態１３に記載の方法。
【００５３】
１５．
前記目標システムに対する前記ＩＰ構成設定を前記第２の送受信機に提供するステップと、
前記第２の送受信機が、前記目標システムと直接的に目標無線交信手順を行うステップと
をさらに具備することを特徴とする実施形態１３および１４の内のいずれかに記載の方法。
【００５４】
１６．前記第１の送受信機および前記ソース・システムを通して前記第２の送受信機により前記目標システムとのＳＩＰ登録を開始するステップ
をさらに具備することを特徴とする実施形態１３〜１５の内のいずれかに記載の方法。
【００５５】
１７．前記第１の送受信機が、前記第２の送受信機に前記ＳＩＰ登録情報を送るステップ
をさらに具備することを特徴とする実施形態１６に記載の方法。
【００５６】
１８．前記第２の送受信機および前記目標システムの間にＳＩＰ接続性を確立するステップ
をさらに具備することを特徴とする実施形態１７に記載の方法。
【００５７】
１９．前記第１の送受信機を登録解除するステップ
をさらに具備することを特徴とする前のいずれかの実施形態に記載の方法。
【００５８】
２０．前記第１の送受信機にてハンドオーバー完了メッセージを受信するステップと、
前記第１の送受信機をオフにするステップと
をさらに具備することを特徴とする前のいずれかの実施形態に記載の方法。
【００５９】
２１．前記第２の送受信機が、前記目標システムとの無線周波数接続性手順を行うステップ
をさらに具備することを特徴とする前のいずれかの実施形態に記載の方法。
【００６０】
２２．ソース・システムから目標システムへハンドオーバーを行うように構成される無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）であって、
前記ソース・システムと通信するための、少なくとも第１のモビリティ管理（ＭＭ：Ｍｏｂｉｌｉｔｙ  Ｍａｎａｇｅｍｅｎｔ）レイヤーおよび無線リソース管理（ＲＲＣ:Ｒａｄｉｏ  Ｒｅｓｏｕｒｃｅ  Ｃｏｎｔｒｏｌ）レイヤーを含む第１の送受信機と、
ハンドオーバーすると前記目標システムと通信するための、少なくとも第２のＭＭレイヤーおよび第２のＲＲＣレイヤーを含む第２の送受信機と、
ここで、前記第１のＲＲＣレイヤーおよび第２のＭＭレイヤー、ならびに前記第１のＭＭレイヤーおよび前記第２のＲＲＣレイヤーの間の交差通信リンクを通して前記ソース・システムおよび前記第２の送受信機の間でハンドオーバーが行われることと、
前記交差通信リンクが、それにより前記第２の送受信機および目標システムの間にハンドオーバー直接トンネルを確立することと
を具備することを特徴とする無線送受信ユニット（ＷＴＲＵ）。
【００６１】
２３．実施形態１〜２１のいずれかを実施するように構成されることを特徴とする無線送受信ユニット（ＷＴＲＵ）。
特徴および要素が上で特定の組み合わせにて記述されているが、それぞれの特徴または要素は、他の特徴および要素なしで単独にて、または他の特徴および要素のあるなしに拘わらず様々な組み合わせにて使用可能である。ここに提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００６２】
適切な処理装置の例としては、汎用目的処理装置、専用目的処理装置、従来の処理装置、デジタル信号処理装置（ＤＳＰ：Ｄｉｇｉｔａｌ  Ｓｉｇｎａｌ  Ｐｒｏｃｅｓｓｏｒ）、複数のマイクロ処理装置、ＤＳＰコアに関連付けられた１つまたは複数のマイクロ処理装置、制御装置、マイクロ制御装置、特定用途向けＩＣ（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他のいずれかの種別の集積回路（ＩＣ：Ｉｎｔｅｇｒａｔｅｄ  Ｃｉｒｃｕｉｔ）、および／または状態マシンが含まれる。
【００６３】
無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）、ユーザー設備（ＵＥ：Ｕｓｅｒ  Ｅｑｕｉｐｍｅｎｔ）、端末、基地局（ｂａｓｅ  ｓｔａｔｉｏｎ）、無線ネットワーク制御装置（ＲＮＣ：Ｒａｄｉｏ  Ｎｅｔｗｏｒｋ  Ｃｏｎｔｒｏｌｌｅｒ）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、液晶表示（ＬＣＤ：Ｌｉｑｕｉｄ  Ｃｒｙｓｔａｌ  Ｄｉｓｐｌａｙ）表示ユニット、有機発光ダイオード（ＯＬＥＤ：Ｏｒｇａｎｉｃ  Ｌｉｇｈｔ−Ｅｍｉｔｔｉｎｇ  Ｄｉｏｄｅ）表示ユニット、デジタル音楽プレーヤー、メディア・プレーヤー、テレビゲーム・プレーヤー・モジュール、インターネット・ブラウザー、ならびに／または任意の無線ＬＡＮ（ＷＬＡＮ：Ｗｉｒｅｌｅｓｓ  Ｌｏｃａｌ  Ａｃｃｅｓｓ  Ｎｅｔｗｏｒｋ）モジュールまたは超広帯域（ＵＷＢ：Ｕｌｔｒａ  Ｗｉｄｅ  Ｂａｎｄ）モジュールなどのモジュールと連動して使用することができる。
【国際調査報告】
2010533457.tif 000016
2010533457.tif 000017
2010533457.tif 000018